(57)【特許請求の範囲】
【請求項１】
集合模様内に施された潜像画像が、通常可視光線下では肉眼で識別が困難であり、紫外線を照射すると前記潜像画像が出現する真偽判別可能な印刷物において、
基材に基本画像が設けられており、前記基本画像が潜像部及び潜像周囲部を有し、前記潜像部と前記潜像周囲部とは通常可視光線下では肉眼で区別が困難であり、前記潜像部及び前記潜像周囲部は一定周期で連続配置する網点の集合体でそれぞれ構成され、前記潜像部の網点と前記潜像周囲部の網点とは解像度が異なり、単位面積辺りの網点面積率が等しく、且つ、単位面積辺りの網点周囲長が異なり、且つ、前記潜像部及び前記潜像周囲部が有色蛍光インキで印刷されていることを特徴とする真偽判別可能な印刷物。
【請求項２】
前記潜像部の網点の単位面積辺りの網点周囲長が、前記潜像周囲部の網点の単位面積辺りの網点周囲長の２倍以上であることを特徴とする請求項１記載の真偽判別可能な印刷物。
【請求項３】
前記網点が、スクエアドット、チェーンドット及びラウンドドットのいずれか一つ又はこれらの組み合わせの形状を有することを特徴とする請求項１又は２記載の真偽判別可能な印刷物。
【請求項４】
前記印刷物に、カムフラージュ模様がさらに印刷されていることを特徴とする請求項１乃至３のいずれかに記載の真偽判別可能な印刷物。
【請求項５】
集合模様内に施された潜像画像が、通常可視光線下では肉眼で識別が困難であり、紫外線を照射すると前記潜像画像が出現する真偽判別可能な印刷物を作製する方法において、
基材に基本画像を設け、前記基本画像は潜像部及び潜像周囲部を有し、前記潜像部と前記潜像周囲部とは通常可視光線下では肉眼で区別することが困難であり、前記潜像部及び前記潜像周囲部を一定周期で連続配置する網点の集合体でそれぞれ構成し、前記潜像部の網点と前記潜像周囲部の網点とは解像度が異なり、単位面積辺りの網点面積率が等しく、且つ、単位面積辺りの網点周囲長が異なるように構成し、且つ、前記潜像部及び前記潜像周囲部を有色蛍光インキで印刷することを特徴とする真偽判別可能な印刷物の作製方法。
【請求項６】
前記潜像部の網点の単位面積辺りの網点周囲長を、前記潜像周囲部の網点の単位面積辺りの網点周囲長の２倍以上としたことを特徴とする請求項５記載の真偽判別可能な印刷物の作製方法。
【請求項７】
前記網点を、スクエアドット、チェーンドット及びラウンドドットのいずれか一つ又はこれらの組み合わせの形状を有するようにしてなることを特徴とする請求項５又は６記載の真偽判別可能な印刷物の作製方法。
【請求項８】
前記印刷物に、さらにカムフラージュ模様を印刷することを特徴とする請求項５乃至７のいずれかに記載の真偽判別可能な印刷物の作製方法。
【請求項９】
曲線状の集合模様内に施された潜像画像が、通常可視光線下では肉眼で識別が困難であり、紫外線を照射すると前記潜像画像が出現する真偽判別可能な印刷物において、
曲線状の集合模様が、潜像が施されない一本の画線と潜像が施され肉眼では一本の連続線のように認識される複数に分岐した画線とで構成され、前記複数に分岐した画線の画線幅の合計が、前記一本の画線の画線幅とほぼ等しく、且つ、前記複数に分岐した画線における基本曲線方向の所定長さにおける画線周囲長の合計値と、前記一本の画線における基本曲線方向の前記所定長さにおける画線周囲長の合計値とが異なるように構成され、前記一本の画線及び複数に分岐した画線が有色蛍光インキで印刷されたことを特徴とする真偽判別可能な印刷物。
【請求項１０】
前記複数に分岐した画線の画線幅の合計値が、前記一本の画線の画線幅の、９０％〜１１０％の範囲内であることを特徴とする請求項９記載の真偽判別可能な印刷物。
【請求項１１】
前記複数に分岐した画線の単位印刷面積辺りの画線周囲長の合計値が、前記一本の画線の単位印刷面積辺りの画線周囲長の合計値の、１．４倍以上であることを特徴とする請求項９又は１０記載の真偽判別可能な印刷物。
【請求項１２】
前記一本の画線、前記複数に分岐した画線のいずれか一方の画線同士又はこれら双方の画線同士が交差する部分で、前記交差する画線同士のいずれか一方の画線が削除されてなることを特徴とする請求項９乃至１１のいずれかに記載の真偽判別可能な印刷物。
【請求項１３】
前記曲線状の集合模様が、地紋模様、彩紋模様及びレリーフ模様のいずれか１つ又はそれらの組み合わせであることを特徴とする請求項９乃至１２のいずれかに記載の真偽判別可能な印刷物。
【請求項１４】
曲線状の集合模様内に施された潜像画像が、通常可視光線下では肉眼で識別が困難であり、紫外線を照射すると前記潜像画像が出現する真偽判別可能な印刷物を作製する方法において、
曲線状の集合模様を、潜像を施さない一本の画線と潜像を施し肉眼では一本の連続線のように認識される複数に分岐した画線とで構成し、前記複数に分岐した画線の画線幅の合計が、前記一本の画線の画線幅とほぼ等しく、且つ、前記複数に分岐した画線における基本曲線方向の所定長さにおける画線周囲長の合計値と、前記一本の画線における基本曲線方向の前記所定長さにおける画線周囲長の合計値とを異なるように構成し、前記一本の画線及び複数に分岐した画線を有色蛍光インキで印刷することを特徴とする真偽判別可能な印刷物の作製方法。
【請求項１５】
前記複数に分岐した画線の画線幅の合計値を、前記一本の画線の画線幅の、９０％〜１１０％の範囲内であるようにしたことを特徴とする請求項１４記載の真偽判別可能な印刷物の作製方法。
【請求項１６】
前記複数に分岐した画線の単位印刷面積辺りの画線周囲長の合計値を、前記一本の画線の単位印刷面積辺りの画線周囲長の合計値の、１．４倍以上であるようにしたことを特徴とする請求項１４又は１５記載の真偽判別可能な印刷物の作製方法。
【請求項１７】
前記一本の画線、前記複数に分岐した画線のいずれか一方の画線同士又はこれら双方の画線同士が交差する部分で、前記交差する画線同士のいずれか一方の画線を削除することを特徴とする請求項１４乃至１６のいずれかに記載の真偽判別可能な印刷物の作製方法。
【請求項１８】
前記曲線状の集合模様を、地紋模様、彩紋模様及びレリーフ模様のいずれか１つ又はそれらの組み合わせとすることを特徴とする請求項１４乃至１７のいずれかに記載の真偽判別可能な印刷物の作製方法。
【請求項１９】
曲線状の集合模様内に施された潜像画像が、通常可視光線下では肉眼で識別が困難であり、紫外線を照射すると前記潜像画像が出現する真偽判別可能な印刷物において、
前記曲線状の集合模様が、潜像が施されない連続線からなる画線と潜像が施された定周期断絶線からなる画線とで構成され、前記定周期断絶線は肉眼では一本の連続線のように認識され、基本曲線方向に一定の間隔で配列された所定の形状の画線で構成され、
前記定周期断絶線の一周期に相当する一つの画線部と一つの非画線部からなる部分の画線面積が、前記定周期断絶線の一周期に相当する長さの前記連続線の画線面積とほぼ等しく、且つ、前記定周期断絶線の一周期に相当する一つの画線部と一つの非画線部からなる部分の画線周囲長と、該定周期断絶線の一周期に相当する前記連続線の画線周囲長とが異なるように構成され、前記連続線からなる画線及び前記定周期断絶線からなる画線が有色蛍光インキで印刷されていることを特徴とする真偽判別可能な印刷物。
【請求項２０】
前記定周期断絶線の一周期に相当する部分の画線面積が、前記定周期断絶線における前記一周期と同一の長さに相当する前記連続線の部分の画線面積の、９０％〜１１０％の範囲内であることを特徴とする請求項１９記載の真偽判別可能な印刷物。
【請求項２１】
前記定周期断絶線の一周期に相当する部分の画線周囲長が、前記定周期断絶線における前記一周期と同一の長さに相当する前記連続線の部分の画線周囲長の、１．１倍以上であることを特徴とする請求項１９又は２０記載の真偽判別可能な印刷物。
【請求項２２】
前記連続線からなる画線、前記定周期断絶線からなる画線のいずれか一方の画線同士又はこれら双方の画線同士が交差する部分で、前記交差する画線のいずれか一方の画線が削除されていることを特徴とする請求項１９乃至２１のいずれかに記載の真偽判別可能な印刷物。
【請求項２３】
前記曲線状の集合模様が、地紋模様、彩紋模様及びレリーフ模様のいずれか１つ又はこららの組み合わせからなることを特徴とする請求項１９乃至２２のいずれかに記載の真偽判別可能な印刷物。
【請求項２４】
曲線状の集合模様内に施された潜像画像が、通常可視光線下では肉眼で識別が困難であり、紫外線を照射すると前記潜像画像が出現する真偽判別可能な印刷物の作製方法において、
前記曲線状の集合模様を、潜像を施さない連続線からなる画線と潜像を施した定周期断絶線からなる画線とで構成し、前記定周期断絶線は肉眼では一本の連続線のように認識され、基本曲線方向に一定の間隔で配列された所定の形状の画線で構成し、
前記定周期断絶線の一周期に相当する一つの画線部と一つの非画線部からなる部分の画線面積が、前記定周期断絶線の一周期に相当する長さの前記連続線の画線面積とほぼ等しく、且つ、前記定周期断絶線の一周期に相当する一つの画線部と一つの非画線部からなる部分の画線周囲長と、該定周期断絶線の一周期に相当する前記連続線の画線周囲長とが異なるように構成し、前記連続線からなる画線及び前記定周期断絶線からなる画線を有色蛍光インキで印刷することを特徴とする真偽判別可能な印刷物の作製方法。
【請求項２５】
前記定周期断絶線の一周期に相当する部分の画線面積を、前記定周期断絶線における前記一周期と同一の長さに相当する前記連続線の部分の画線面積の、９０％〜１１０％の範囲内であるようにしてなることを特徴とする請求項２４記載の真偽判別可能な印刷物の作製方法。
【請求項２６】
前記定周期断絶線の一周期に相当する部分の画線周囲長を、前記定周期断絶線における前記一周期と同一の長さに相当する前記連続線の部分の画線周囲長の、１．１倍以上であるようにしてなることを特徴とする請求項２４又は２５記載の真偽判別可能な印刷物の作製方法。
【請求項２７】
前記連続線からなる画線、前記定周期断絶線からなる画線のいずれか一方の画線同士又はこれら双方の画線同士が交差する部分で、前記交差する画線のいずれか一方の画線を削除することを特徴とする請求項２４乃至２６のいずれかに記載の真偽判別可能な印刷物の作製方法。
【請求項２８】
前記曲線状の集合模様を、地紋模様、彩紋模様及びレリーフ模様のいずれか１つ又はこららの組み合わせとすることを特徴とする請求項２４乃至２７のいずれかに記載の真偽判別可能な印刷物の作製方法。
【請求項２９】
直線又は曲線を基本線とする１本又は複数の画線からなる画線模様に潜像が施された真偽判別可能な印刷物において、
前記画線模様のうち潜像が施されない部分の画線は実線で、前記潜像が施された部分の画線は前記実線の中心部分である基準線を基準とし、前記基準線を縦断する方向にほぼ等距離に複数の画線に分岐し、前記複数に分岐した画線がそれぞれ前記基準線方向にほぼ直角に分断された断絶線からなる画線群で構成され、前記潜像が施された部分の前記断絶線のうち、前記基準線方向に分断された前記断絶線の画線部と非画線部からなる一周期に相当する部分の長さの前記画線群の画線面積の総和が、前記潜像が施されない部分の実線のうち、前記基準線方向にほぼ直角に分断された断絶線における前記一周期と同一の長さに相当する部分の実線の画線面積とほぼ等しい画線群で前記断絶線が構成されており、前記潜像が施されない部分の画線及び前記潜像が施された部分の断絶線が有色蛍光インキで印刷されていることを特徴とする真偽判別可能な印刷物。
【請求項３０】
前記潜像が施された部分の画線は、前記実線の中心部分である基準線を基準とし、前記基準線を縦断する方向にほぼ等距離に複数に分岐し、前記複数に分岐した画線が、それぞれ前記基準線方向にほぼ直角に分断され、ほぼ一定の間隔で配列された形状の断絶線からなる定周期断絶線であることを特徴とする請求項２９記載の真偽判別可能な印刷物。
【請求項３１】
前記潜像が施された部分の画線は、前記実線の中心部分である基準線を基準とし、前記基準線を縦断する方向にほぼ等距離に複数に分岐し、前記複数に分岐した画線が、それぞれ前記基準線方向にほぼ直角に分断され、且つほぼ一定の間隔で配列された形状の断絶線からなり、前記複数に分岐した画線のうち、少なくとも１本以上の画線が他の分岐した画線とずれを伴い配列された形状の断絶線からなるずれ周期並置の定周期断絶線であることを特徴とする請求項２９記載の真偽判別可能な印刷物。
【請求項３２】
前記潜像が施された部分の画線は、前記実線の中心部分である基準線を基準とし、前記基準線を縦断する方向にほぼ等距離に複数に分岐し、前記複数に分岐した画線が、それぞれ前記基準線方向にほぼ直角に分断され、ほぼ一定の間隔で配列された形状の断絶線からなり、且つ前記複数に分岐した画線のうち、少なくとも１本以上の画線が他の分岐した画線と異なる周期を伴い配列された形状の断絶線からなる異周期並置の定周期断絶線であることを特徴とする請求項２９記載の真偽判別可能な印刷物。
【請求項３３】
前記潜像が施された部分の前記断絶線のうち、前記基準線方向に直角に分断された前記断絶線の画線部と非画線部からなる一周期に相当する部分の長さの前記画線群の画線面積の総和が、前記潜像を施さない部分の実線のうち、前記基準線方向にほぼ直角に分断された断絶線における前記一周期と同一の長さに相当する部分の実線の画線面積とほぼ等しい画線面積の、９５％〜１１０％の範囲内であることを特徴とする請求項２９乃至３２のいずれかに記載の真偽判別可能な印刷物。
【請求項３４】
前記潜像を施さない部分の画線、断絶線、定周期断絶線、ずれ周期並置の定周期断絶線又は異周期並置の定周期断絶線のいずれか一方の画線同士若しくはこれら双方の画線同士が交差する部分で、交差する画線同士のいずれか一方の画線が削除されていることを特徴とする請求項２９乃至３３のいずれかに記載の真偽判別可能な印刷物。
【請求項３５】
前記画線模様が、地紋模様、彩紋模様及びレリーフ模様の少なくとも１つであることを特徴とする請求項２９乃至３４のいずれかに記載の真偽判別可能な印刷物。
【請求項３６】
直線又は曲線を基本線とする１本又は複数の画線からなる画線模様に潜像が施された真偽判別可能な印刷物を作製する方法において、
前記画線模様のうち潜像を施さない部分の画線は実線で、前記潜像を施した部分の画線は前記実線の中心部分である基準線を基準とし、前記基準線を縦断する方向にほぼ等距離に複数の画線に分岐し、前記複数に分岐した画線がそれぞれ前記基準線方向にほぼ直角に分断した断絶線からなる画線群で構成し、前記潜像を施した部分の前記断絶線のうち、前記基準線方向に分断した前記断絶線の画線部と非画線部からなる一周期に相当する部分の長さの前記画線群の画線面積の総和が、前記潜像が施されない部分の実線のうち、前記基準線方向にほぼ直角に分断した断絶線における前記一周期と同一の長さに相当する部分の実線の画線面積とほぼ等しい画線群で前記断絶線を構成し、前記潜像を施さない部分の画線及び前記潜像を施した部分の断絶線を有色蛍光インキで印刷することを特徴とする真偽判別可能な印刷物の作製方法。
【請求項３７】
前記潜像が施された部分の画線は、前記実線の中心部分である基準線を基準とし、前記基準線を縦断する方向にほぼ等距離に複数に分岐し、前記複数に分岐した画線を、それぞれ前記基準線方向にほぼ直角に分断し、ほぼ一定の間隔で配列した形状の断絶線からなる定周期断絶線としたことを特徴とする請求項３６記載の真偽判別可能な印刷物の作製方法。
【請求項３８】
前記潜像を施した部分の画線は、前記実線の中心部分である基準線を基準とし、前記基準線を縦断する方向にほぼ等距離に複数に分岐し、前記複数に分岐した画線を、それぞれ前記基準線方向にほぼ直角に分断し、且つほぼ一定の間隔で配列した形状の断絶線とし、前記複数に分岐した画線のうち、少なくとも１本以上の画線を他の分岐した画線とずれを伴い配列した形状の断絶線からなるずれ周期並置の定周期断絶線としたことを特徴とする請求項３６記載の真偽判別可能な印刷物の作製方法。
【請求項３９】
前記潜像が施された部分の画線は、前記実線の中心部分である基準線を基準とし、前記基準線を縦断する方向にほぼ等距離に複数に分岐し、前記複数に分岐した画線を、それぞれ前記基準線方向にほぼ直角に分断し、ほぼ一定の間隔で配列した形状の断絶線とし、且つ前記複数に分岐した画線のうち、少なくとも１本以上の画線を他の分岐した画線と異なる周期を伴い配列した形状の断絶線からなる異周期並置の定周期断絶線としたことを特徴とする請求項３６記載の真偽判別可能な印刷物の作製方法。
【請求項４０】
前記潜像が施された部分の前記断絶線のうち、前記基準線方向に直角に分断した前記断絶線の画線部と非画線部からなる一周期に相当する部分の長さの前記画線群の画線面積の総和を、前記潜像を施さない部分の実線のうち、前記基準線方向にほぼ直角に分断した断絶線における前記一周期と同一の長さに相当する部分の実線の画線面積とほぼ等しい画線面積の、９５％〜１１０％の範囲内としたことを特徴とする請求項３６乃至３９のいずれかに記載の真偽判別可能な印刷物の作製方法。
【請求項４１】
前記潜像を施さない部分の画線、断絶線、定周期断絶線、ずれ周期並置の定周期断絶線又は異周期並置の定周期断絶線のいずれか一方の画線同士若しくはこれら双方の画線同士が交差する部分で、交差する画線同士のいずれか一方の画線を削除することを特徴とする請求項３６乃至４０のいずれかに記載の真偽判別可能な印刷物の作製方法。
【請求項４２】
前記画線模様を、地紋模様、彩紋模様及びレリーフ模様の少なくとも１つとしたことを特徴とする請求項３６乃至４１のいずれかに記載の真偽判別可能な印刷物の作製方法。
【発明の詳細な説明】
技  術  的  背  景
本発明は、銀行券、株券、債券等の有価証券、各種証明書及び重要書類等、偽造、変造を防止する必要性がある印刷物において、通常の可視光線下では潜像を認識することが困難であるが、紫外線等の所定の波長を照射することによって肉眼で潜像を認識することができ、且つ、複写機により複写した場合に、紫外線等の所定の波長を照射しなくとも複写防止画線により潜像を認識することが可能な真偽判別可能な印刷物に関するものである。
従  来  技  術
銀行券、株券、債券等の有価証券、各種証明書及び重要書類等の印刷物において、偽造、変造防止策は重要な要素である。これら印刷物の偽造、変造防止策には、主に幾何学模様を多様化した図柄を複雑にする手法や、印刷物に対し何等かの処理を加えることで、目視では認識できなかった潜像を発現する手法等がある。前者の代表的な例は、証券印刷物等のデザインに広く用いられている地紋、彩紋模様、レリーフ模様等があり、後者の代表的な例は潜像凹版、複写機で色が正常に再現されないような機能性インキ、蛍光インキ、複写機で再現されない微細な画線で構成される複写防止画線等がある。
前者の幾何学模様を用いる偽造、変造防止策としては、地紋、彩紋模様、レリーフ模様等があり、基本的に一定の画線幅による曲画線の集合によって模様を構成する。これらの模様は、印刷物のデザイン等の意匠性を加味し、偽造、変造防止策を施すことで模様を複雑にし、偽造物における同一の模様を作製困難とする。さらに、写真製版装置による抽出、あるいは複写機で再現されにくい色彩を用いたり、複雑な曲画線にして複写機及びスキャナの走査入出力に対するモアレを発生させたりすることで偽造防止策としての効果を高めている。従って、銀行券、株券、債券等の有価証券、各種証明書及び重要書類等の印刷物において、地紋、彩紋模様、レリーフ模様等はデザイン上欠かすことのできない模様である。しかし、最近では高機能化したＤＴＰ技術や複写機の出現により、これら模様が偽造又は変造されることがあり、十分に偽造、変造を防止することができないという問題があった。
印刷物に対して何等かの処理を加えて、目視では認識できなかった潜像を発現させる代表的な技術として、潜像凹版や、複写機で色が正常に再現されない機能性インキ、蛍光インキ、複写防止画線等がある。
蛍光インキによる印刷物において、有色蛍光印刷物は、通常の可視光線下で画像を認識することができ、紫外線等の所定の波長を照射すると画像が発光することで、真偽判別が可能である。
しかしながら、紫外線等の所定の波長を照射することで画像が発光するだけでは、十分に偽造を防止することができなかった。また、無色蛍光印刷物は、通常の可視光線下では画像を認識できず、紫外線等の所定の波長を照射すると画像が発光し、高い偽造防止効果が得られる。しかしながら、無色蛍光インキでの印刷は、無色であるために刷り合わせが非常に難しく、さらに重ね刷りによる材料コスト及び印刷工程数の増加という問題があった。
また、複写物を真偽判別するためには紫外線等の所定の波長を照射できる装置が必要となるため、装置の設置スペース、設備費用が必要となる問題があった。
潜像を有する印刷物を蛍光インキで印刷するものとして、潜像部と背景部の何れか一方の色材をオレンジ蛍光インキとし、他方の色材をオレンジ蛍光インキとほぼ同色と視認される色調を有するインキとする複写防止印刷物（特開平７−７６１９５号公報参照）があった。しかしながら、オレンジ蛍光インキとほぼ同色と視認される色調を有するインキの配合が困難であり、刷り合わせの問題、重ね刷りによる材料コスト及び印刷工程数の増加という問題があった。
画線パターンによって潜像を施す手法として、本願出願人は、曲画線の集合模様に、潜像を施さない部分を一本線、潜像を施した部分を二本線以上で表現し、潜像を施した部分の二本線以上の画線の合計の画線幅が、潜像を施さない一本線の画線の画線幅と等しい印刷物を提案している（特開平８−１９７８２８号公報参照）。
この印刷物では、複写前は潜像の識別が困難であり、複写機にかけると潜像を施した模様は再現されず、背景部分は再現されるため、複写機等で複写された場合に真偽判別効果を有する。しかし、複写機で複写されない限り、肉眼で真偽判別することはできない。
また、本願出願人は、曲線状の集合模様を、潜像を施さない部分の画線を連続線、潜像を施した部分の画線を基本線方向に一定の間隔で配列された形状の画線からなる定周期断絶線で構成し、潜像を施した部分の定周期断絶線のうち、基本線方向に連続した一つの画線部と非画線部からなる一周期に相当する部分の画線面積の総和が、潜像を施さない部分の連続線のうち、基本線方向における前記一周期と同一の長さに相当する部分の画線面積と等しい印刷物を提案している（特開平９−２４０１３５号公報参照）。
この印刷物は、複写前は潜像の識別が困難であり、複写機にかけると潜像を施した模様は再現されず、背景部分は再現されるため、複写機等で複写された場合に真偽判別効果を有する。しかし、やはり複写機で複写されない限り、肉眼で真偽判別することができない。
さらに、複写機による偽造防止に適する印刷物には、網点もしくは万線等のスクリーンパターンの粗密によって潜像が施されたものがあった。例えば、１５０線１０％の網点よりなる潜像を有し、この潜像周囲の白地面に５０〜６０線１０％程度の万線よりなる背景を備えた潜像版を用いて、用紙の表面に濃色の印刷を施し、背景の万線と干渉した時にモアレ模様を形成する平行線よりなる波形パターンを備えたオーバープリント版を用いて、用紙表面に複写機で再生されない淡色の重ね刷りを施す。
これにより、印刷物の表面は肉眼を幻惑するモアレ模様が形成されるので潜像の存在は識別困難となり、複写機にかけると潜像と波形パターンは再生されずに背景のみが再生され、潜像が背景と区別して認められる。このような複写防止用潜像カムフラージ法（特開昭６０−８７３８０号公報）が提案されている。
しかしながら、この印刷物ではスクリーンパターンにより潜像を施しているため潜像の視認は容易である。単色印刷物では、上書きされる文字等の情報が、カムフラージの役割を果たさなければならないことから、あくまでも文字等の背景をなす地紋模様にしか活用できない。よって、潜像を施した単色印刷画線模様そのものを彩紋模様のごとくデザイン化した模様にしたり、装飾効果をもった美術的な印刷物にすることは不可能である。
更に、この手法では網点もしくは万線等の点及び線の粗密からなるスクリーンパターンでなければならないため、地紋、彩紋模様を多様している銀行券、株券、債券などの有価証券の既存の製品に用いるには適さないという問題があった。
画線パターンによって潜像を施す手法として、本願出願人は、曲線状の集合模様を、潜像を施さない部分の画線を連続線、潜像を施した部分の画線を基準線方向に一定の間隔で配列された形状の画線からなる定周期断絶線で構成し、潜像を施した部分の定周期断絶線のうち、基準線方向に連続した一つの画線部と非画線部からなる一周期に相当する部分の画線面積の総和が、潜像を施さない部分の連続線のうち、基準線方向における前記一周期と同一の長さに相当する部分の画線面積と等しい印刷物を提案している（特開平９−２４０１３５号公報）。
この印刷物では、通常、複写前は潜像の識別が困難であり、複写機にかけると潜像を施した模様は再現されず、背景部分は再現されるため潜像が形成される。
しかしながら、複写機等で複写された場合は真偽判別効果を有するが、複写機で複写されない限り肉眼で真偽判別することができない。また、最近のカラー複写機の解像度の著しい技術進歩に伴い、公報の印刷物を複写機で複写した場合に、明瞭に潜像を発現することが困難になってきている。
本発明は、前述した問題を解決することを目的としたもので、通常の可視光線下では潜像画像が認識することはできないが、紫外線等の所定の波長を照射することによって潜像画像が肉眼で認識でき、複製物に対しては、大型の鑑定装置を用いず、持ち運び可能な小型ハンディータイプの紫外線照射装置を用い、容易に真偽判別可能であり、また、刷り合わせの問題や、重ね刷りによる材料コスト及び印刷工程数の増加の問題を解決することが可能な真偽判別可能な印刷物及びその作製方法を提案するものである。
発  明  の  概  要
本発明による真偽判別可能な印刷物は、集合模様内に施された潜像画像が、通常可視光線下では肉眼で識別が困難であり、紫外線を照射すると前記潜像画像が出現する印刷物であって、基材に基本画像が設けられており、前記基本画像が潜像部及び潜像周囲部を有し、前記潜像部と前記潜像周囲部とは通常可視光線下では肉眼で区別が困難であり、前記潜像部及び前記潜像周囲部は一定周期で連続配置する網点の集合体でそれぞれ構成され、前記潜像部の網点と前記潜像周囲部の網点とは解像度が異なり、単位面積辺りの網点面積率が等しく、且つ、単位面積辺りの網点周囲長が異なり、且つ、前記潜像部及び前記潜像周囲部が有色蛍光インキで印刷されていることを特徴とする。
ここで、前記潜像部の網点の単位面積辺りの網点周囲長が、前記潜像周囲部の網点の単位面積辺りの網点周囲長の２倍以上であることが望ましい。
前記網点が、スクエアドット、チェーンドット及びラウンドドットのいずれか一つ又はこれらの組み合わせの形状を有することもできる。
前記印刷物に、カムフラージュ模様がさらに印刷されていてもよい。
本発明による真偽判別可能な印刷物を作製する方法は、集合模様内に施された潜像画像が、通常可視光線下では肉眼で識別が困難であり、紫外線を照射すると前記潜像画像が出現する印刷物を作製する方法であって、基材に基本画像を設け、前記基本画像は潜像部及び潜像周囲部を有し、前記潜像部と前記潜像周囲部とは通常可視光線下では肉眼で区別することが困難であり、前記潜像部及び前記潜像周囲部を一定周期で連続配置する網点の集合体でそれぞれ構成し、前記潜像部の網点と前記潜像周囲部の網点とは解像度が異なり、単位面積辺りの網点面積率が等しく、且つ、単位面積辺りの網点周囲長が異なるように構成し、且つ、前記潜像部及び前記潜像周囲部を有色蛍光インキで印刷することを特徴とする。
また本発明の真偽判別可能な印刷物は、曲線状の集合模様内に施された潜像画像が、通常可視光線下では肉眼で識別が困難であり、紫外線を照射すると前記潜像画像が出現する印刷物であって、曲線状の集合模様が、潜像が施されない一本の画線と潜像が施され肉眼では一本の連続線のように認識される複数に分岐した画線とで構成され、前記複数に分岐した画線の画線幅の合計が、前記一本の画線の画線幅とほぼ等しく、且つ、前記複数に分岐した画線における基本曲線方向の所定長さにおける画線周囲長の合計値と、前記一本の画線における基本曲線方向の前記所定長さにおける画線周囲長の合計値とが異なるように構成され、前記一本の画線及び複数に分岐した画線が有色蛍光インキで印刷されたことを特徴とする。
ここで、前記複数に分岐した画線の画線幅の合計値が、前記一本の画線の画線幅の、９０％〜１１０％の範囲内であることが望ましい。
また、前記複数に分岐した画線の単位印刷面積辺りの画線周囲長の合計値が、前記一本の画線の単位印刷面積辺りの画線周囲長の合計値の、１．４倍以上であることが望ましい。
前記一本の画線、前記複数に分岐した画線のいずれか一方の画線同士又はこれら双方の画線同士が交差する部分で、前記交差する画線同士のいずれか一方の画線が削除されてもよい。
前記曲線状の集合模様が、地紋模様、彩紋模様及びレリーフ模様のいずれか１つ又はそれらの組み合わせであってもよい。
本発明の真偽判別可能な印刷物の作製方法は、曲線状の集合模様内に施された潜像画像が、通常可視光線下では肉眼で識別が困難であり、紫外線を照射すると前記潜像画像が出現する印刷物を作製する方法であって、曲線状の集合模様を、潜像を施さない一本の画線と潜像を施し肉眼では一本の連続線のように認識される複数に分岐した画線とで構成し、前記複数に分岐した画線の画線幅の合計が、前記一本の画線の画線幅とほぼ等しく、且つ、前記複数に分岐した画線における基本曲線方向の所定長さにおける画線周囲長の合計値と、前記一本の画線における基本曲線方向の前記所定長さにおける画線周囲長の合計値とを異なるように構成し、前記一本の画線及び複数に分岐した画線を有色蛍光インキで印刷することを特徴とする。
本発明の真偽判別可能な印刷物は、曲線状の集合模様内に施された潜像画像が、通常可視光線下では肉眼で識別が困難であり、紫外線を照射すると前記潜像画像が出現する印刷物であって、前記曲線状の集合模様が、潜像が施されない連続線からなる画線と潜像が施された定周期断絶線からなる画線とで構成され、前記定周期断絶線は肉眼では一本の連続線のように認識され、基本曲線方向に一定の間隔で配列された所定の形状の画線で構成され、前記定周期断絶線の一周期に相当する一つの画線部と一つの非画線部からなる部分の画線面積が、前記定周期断絶線の一周期に相当する長さの前記連続線の画線面積とほぼ等しく、且つ、前記定周期断絶線の一周期に相当する一つの画線部と一つの非画線部からなる部分の画線周囲長と、該定周期断絶線の一周期に相当する前記連続線の画線周囲長とが異なるように構成され、前記連続線からなる画線及び前記定周期断絶線からなる画線が有色蛍光インキで印刷されていることを特徴とする。
ここで、前記定周期断絶線の一周期に相当する部分の画線面積が、前記定周期断絶線における前記一周期と同一の長さに相当する前記連続線の部分の画線面積の、９０％〜１１０％の範囲内であることが望ましい。
前記定周期断絶線の一周期に相当する部分の画線周囲長が、前記定周期断絶線における前記一周期と同一の長さに相当する前記連続線の部分の画線周囲長の、１．１倍以上であることが望ましい。
前記連続線からなる画線、前記定周期断絶線からなる画線のいずれか一方の画線同士又はこれら双方の画線同士が交差する部分で、前記交差する画線のいずれか一方の画線が削除されてもよい。
前記曲線状の集合模様が、地紋模様、彩紋模様及びレリーフ模様のいずれか１つ又はこららの組み合わせからなることもできる。
本発明の真偽判別可能な印刷物の作製方法は、曲線状の集合模様内に施された潜像画像が、通常可視光線下では肉眼で識別が困難であり、紫外線を照射すると前記潜像画像が出現する印刷物の作製方法であって、前記曲線状の集合模様を、潜像を施さない連続線からなる画線と潜像を施した定周期断絶線からなる画線とで構成し、前記定周期断絶線は肉眼では一本の連続線のように認識され、基本曲線方向に一定の間隔で配列された所定の形状の画線で構成し、前記定周期断絶線の一周期に相当する一つの画線部と一つの非画線部からなる部分の画線面積が、前記定周期断絶線の一周期に相当する長さの前記連続線の画線面積とほぼ等しく、且つ、前記定周期断絶線の一周期に相当する一つの画線部と一つの非画線部からなる部分の画線周囲長と、該定周期断絶線の一周期に相当する前記連続線の画線周囲長とが異なるように構成し、前記連続線からなる画線及び前記定周期断絶線からなる画線を有色蛍光インキで印刷することを特徴とする。
また、本発明の真偽判別可能な印刷物は、直線又は曲線を基本線とする１本又は複数の画線からなる画線模様に潜像が施された印刷物であって、前記画線模様のうち潜像が施されない部分の画線は実線で、前記潜像が施された部分の画線は前記実線の中心部分である基準線を基準とし、前記基準線を縦断する方向にほぼ等距離に複数の画線に分岐し、前記複数に分岐した画線がそれぞれ前記基準線方向にほぼ直角に分断された断絶線からなる画線群で構成され、前記潜像が施された部分の前記断絶線のうち、前記基準線方向に分断された前記断絶線の画線部と非画線部からなる一周期に相当する部分の長さの前記画線群の画線面積の総和が、前記潜像が施されない部分の実線のうち、前記基準線方向にほぼ直角に分断された断絶線における前記一周期と同一の長さに相当する部分の実線の画線面積とほぼ等しい画線群で前記断絶線が構成されており、前記潜像が施されない部分の画線及び前記潜像が施された部分の断絶線が有色蛍光インキで印刷されていることを特徴とする。
前記潜像が施された部分の画線は、前記実線の中心部分である基準線を基準とし、前記基準線を縦断する方向にほぼ等距離に複数に分岐し、前記複数に分岐した画線が、それぞれ前記基準線方向にほぼ直角に分断され、ほぼ一定の間隔で配列された形状の断絶線からなる定周期断絶線、あるいは、前記実線の中心部分である基準線を基準とし、前記基準線を縦断する方向にほぼ等距離に複数に分岐し、前記複数に分岐した画線が、それぞれ前記基準線方向にほぼ直角に分断され、且つほぼ一定の間隔で配列された形状の断絶線からなり、前記複数に分岐した画線のうち、少なくとも１本以上の画線が他の分岐した画線とずれを伴い配列された形状の断絶線からなるずれ周期並置の定周期断絶線、あるいはまた、前記実線の中心部分である基準線を基準とし、前記基準線を縦断する方向にほぼ等距離に複数に分岐し、前記複数に分岐した画線が、それぞれ前記基準線方向にほぼ直角に分断され、ほぼ一定の間隔で配列された形状の断絶線からなり、且つ前記複数に分岐した画線のうち、少なくとも１本以上の画線が他の分岐した画線と異なる周期を伴い配列された形状の断絶線からなる異周期並置の定周期断絶線のいずれかであるとしてもよい。
ここで、前記潜像が施された部分の前記断絶線のうち、前記基準線方向に直角に分断された前記断絶線の画線部と非画線部からなる一周期に相当する部分の長さの前記画線群の画線面積の総和が、前記潜像を施さない部分の実線のうち、前記基準線方向にほぼ直角に分断された断絶線における前記一周期と同一の長さに相当する部分の実線の画線面積とほぼ等しい画線面積の、９５％〜１１０％の範囲内であることが望ましい。
前記潜像を施さない部分の画線、断絶線、定周期断絶線、ずれ周期並置の定周期断絶線又は異周期並置の定周期断絶線のいずれか一方の画線同士若しくはこれら双方の画線同士が交差する部分で、交差する画線同士のいずれか一方の画線が削除されていてもよい。
前記画線模様が、地紋模様、彩紋模様及びレリーフ模様の少なくとも１つであってもよい。
本発明の真偽判別可能な印刷物の作製方法は、直線又は曲線を基本線とする１本又は複数の画線からなる画線模様に潜像が施された印刷物を作製する方法であって、前記画線模様のうち潜像を施さない部分の画線は実線で、前記潜像を施した部分の画線は前記実線の中心部分である基準線を基準とし、前記基準線を縦断する方向にほぼ等距離に複数の画線に分岐し、前記複数に分岐した画線がそれぞれ前記基準線方向にほぼ直角に分断した断絶線からなる画線群で構成し、前記潜像を施した部分の前記断絶線のうち、前記基準線方向に分断した前記断絶線の画線部と非画線部からなる一周期に相当する部分の長さの前記画線群の画線面積の総和が、前記潜像が施されない部分の実線のうち、前記基準線方向にほぼ直角に分断した断絶線における前記一周期と同一の長さに相当する部分の実線の画線面積とほぼ等しい画線群で前記断絶線を構成し、前記潜像を施さない部分の画線及び前記潜像を施した部分の断絶線を有色蛍光インキで印刷することを特徴とする。
発明の詳細な説明
（１）  第１の実施の形態
以下、本発明の第１の実施の形態について図面を参照して説明する。
本第１の実施の形態は、集合模様内に施された潜像画像が、通常可視光線下では肉眼で識別できず、紫外線を照射すると潜像画像が出現する真偽判別可能な印刷物に関するものある。
図１に示すように、基材１に、均一濃度を持った基本画像２が形成され、基本画像２は、潜像部３及び潜像周囲部４を有し、潜像部３及び潜像周囲部４は通常可視光線下では肉眼で区別できず、紫外線を照射すると潜像画像が出現する。潜像部３及び潜像周囲部４はいずれも網点が一定周期で連続配置する網点の集合体により構成され、且つ、潜像部３の網点は潜像周囲部４の網点と解像度が異なり、単位面積辺りの網点面積率が等しく、且つ、単位面積辺りの網点周囲長（輪郭長さ）が異なる構成からなり、且つ、潜像部３及び潜像周囲部４が有色蛍光インキで印刷されている。
これにより、例えば潜像部を密構成で、潜像周囲部を粗構成で作製することにより、この印刷物を紫外線等の所定の波長を照射することによって、粗構成の部分である潜像周囲部４の網点は、密構成の部分である潜像部３の網点より、単位面積辺りの網点周囲長が短いため、蛍光発光明度が低く、逆に、密構成の部分である潜像部３は粗構成の部分である潜像周囲部４の網点より、単位面積辺りの網点周囲長が長いため蛍光発光明度が高く、潜像部３と潜像周囲部４との間に蛍光発光明度差が生じ、潜像部３が認識することができる。
本第１の実施の形態は、潜像部の網点の単位面積辺りの網点周囲長と潜像周囲部の単位面積辺りの網点周囲長は異なっていなければならない。潜像部の網点の単位面積辺りの網点周囲長と潜像周囲部の単位面積辺りの網点周囲長が２倍未満であると、紫外線等の所定の波長を照射した場合、潜像周囲部の網点と潜像部の網点の、蛍光発光明度差が小さいため、肉眼で潜像部を認識することが困難となる。よって、潜像部の網点の単位面積辺りの網点周囲長が、潜像周囲部の単位面積辺りの網点周囲長の２倍以上であることが好ましい。
粗構成の部分である潜像周囲部の網点解像度は１インチ辺り６０線〜８０線、また、ドットコンタクトが生じないように、網点面積率が２０％〜４５％が好ましく、密構成の部分である潜像部の網点解像度は１インチ辺り１２０線〜４２０線、また、ドットコンタクトが生じないように、網点面積率が２０％〜４５％が好ましい。例えば、潜像周囲部として用いる網点を１インチ辺り８０線４０％の網点（スクエアドット）で考えると、８０線は３１２．５ミクロンのマトリックスから形成され、４０％の一角は１２５ミクロンである。次に潜像部に用いる網点は、潜像周囲部の２倍以上の線数が必要である。よって、潜像部として用いる網点は１インチ辺り１６０線４０％の網点（スクエアドット）となる。潜像部の１６０線のマトリックスを計算すると、１５６．３ミクロンで形成され、１６０線４０％の一角は６２．５ミクロンとなる。各々の１インチ四方の周囲長を計算すると、８０線４０％の１ドットの周囲長は５００ミクロン、１６０線４０％の１ドットの周囲長は２５０ミクロンである。よって、１インチ四方の各々のドット数は８０線が６４００ドット、１６０線が２５６００ドットとなり、１インチ四方の各々の周囲長は８０線が３２００ミリ、１６０線が６４００ミリと計算される。従って、１インチ辺りの潜像部の周囲長は潜像周囲部の周囲長の２倍となることがわかる。
本第１の実施の形態は、潜像部の網点及び潜像周囲部の網点のいずれを密で作製し、他方を粗で作製しても良い。例えば、潜像部を粗構成で作製し、潜像周囲部を密構成で作製することにより、潜像部と潜像周囲部の蛍光発光明度が反転される。この印刷物に紫外線等の所定の波長を照射することによって、粗構成の部分である潜像部の網点は、密構成の部分である潜像周囲部の網点より単位面積辺りの網点周囲長が短いため蛍光発光明度が低く、逆に、密構成の部分である潜像周囲部は粗構成の部分である潜像部の網点より単位面積辺りの網点周囲長が長いため蛍光発光明度が高く、潜像部と潜像周囲部に蛍光発光明度差が生じ、潜像部を認識することができる。
また、本第１の実施の形態の印刷物を、従来の複写防止模様の有する網点構成で作製することにより複写防止効果が得られる。
本第１の実施の形態のカモフラージュ模様は基本画像の上に印刷しても下に印刷しても良く、地紋模様、彩紋模様、画線パターン等が好ましい。また、基本画像と色相を異ならせても良い。
紫外線照射時において、蛍光有色インキによる蛍光発光の明度は、印刷物の単位印刷面積辺りの網点周囲長（輪郭長さ）の変化により、蛍光発光の目に感じる光の強弱の変化が生じるため、潜像周囲部と潜像部を有色蛍光インキで印刷することが必須要件となる。また、ここで用いる有色蛍光インキの蛍光材料は、紫外線等の所定の波長で励起し、蛍光発光する時の光の拡散を多くする。これにより、通常の可視光線下では認識できないが、紫外線等の所定の波長を照射することによって肉眼で認識することができる画像が形成される。
網点形状には、スクエアドット、チェーンドット、ラウンドドット等のいずれか一つ又はこれらの組み合わせを使用することができる。また、微小文字、特殊マーク等、肉眼で認識することができない微細構成素子の集合体を使用しても、上記同様の効果が得られる。
基材の材質は限定されず、紙葉類、プラスッチック等、印刷可能なものであればよく、貴重書類、カード等を基材としてもよい。
また、均一な濃度を持った印刷物を得るには、印刷時におけるインキの膨らみによる網点又は微細構成素子の膨張値（もしくは収縮値）を考慮することが好ましい。
本第１の実施の形態の真偽判別模様の網点構成を図によって更に詳細に説明する。本第１の実施の形態の網点構成による真偽判別模様は、図２に示すように、潜像を施さない潜像周囲部５と潜像を施した潜像部６とを構えており、ここでは市販のコンピュータ・グラフィック・デザイン装置（以下、ＣＧＳという）を用いて作製した場合について説明する。
印刷時のインキの膨らみによる画線の膨張値（又は収縮値）を考慮して製版時における網点設計を行うため、予め膨張値（又は収縮値）をテスト印刷により調査した。テスト印刷として、８０線、１６０線、２１０線、２６０線、３１０線のスクエアドットを４０％濃度で市販のイメージセッタより製版用フィルムに出力し、ポジタイプＰＳ版で刷版を作製した。次に、市販のベージュ色のインキ４７５ｇに対して緑色発光の蛍光顔料２５ｇ（ルミコール１０００：日本蛍光化学（株）製）の配合割合で有色蛍光インキを作製した。得られた刷版、有色蛍光インキを用い、オフセット印刷機で市販の上質紙（蛍光増白剤が含まれないもの）に印刷した。
テスト印刷で得られた印刷物の網点を測定した結果、８０線は４３％、１６０線は４４％、２１０線は４５％、２６０線は４６％、３１０線は４７％と計測された。よって、それぞれの膨脹値は８０線が３％、１６０線が４％、２１０線が５％、２６０線が６％、３１０線が７％であることがわかった。
テスト印刷により得られた各線数の膨脹値の値を用いて、本第１の実施の形態の印刷物を得るための刷版を作製した。まず、市販のＣＳＧを用い、図３に示すような潜像パターン部７と潜像周囲部８を二次元座標上に設定し、線数と濃度設定を入力する。潜像周囲部を、８０線で４０％濃度とした場合、潜像部はテスト印刷で得られた印刷時における膨脹値を考慮する必要があるため、１６０線の網点を用いた場合、ここで代入する値は３９％となる。
次に、市販のイメージセッターで製版用フィルムに出力し、ポジタイプＰＳ版で刷版を作製し、有色蛍光インキを用いてオフセット印刷機で市販の上質紙に印刷を行った印刷物を図４に示す。得られた印刷物は、網点の密（１６０線、３９％）で構成された真偽判別模様９と、潜像を施さない部分である粗（８０線、４０％）で構成された潜像周囲部１０とを備える。
図４の印刷物を目視で観察した場合、網点の密で構成された真偽判別模様９と粗で構成された潜像周囲部１０は、１インチ辺りの解像度が異なるが、網点濃度が同様であるため真偽判別模様９と潜像周囲部１０の区別が極めて困難である。
図５に、この印刷物に紫外線照射器（例えば、松下電器製コードレス蛍光灯：ＢＦ−６４２）で３６５ｎｍの紫外線を照射した状態を示す。網点の密で構成した真偽判別模様９’は、粗で構成された潜像周囲部１０’より蛍光発光明度が高いので、網点の密で構成した真偽判別模様９’と粗で構成された潜像周囲部１０’の間に蛍光発光明度差が生じ、真偽判別模様を認識することができる。
次に、潜像周囲部を６０線で４０％濃度、７０線で０％濃度、８０線で４０％濃度とし、それぞれについて潜像部を７種類としてサンプルを作製した。得られたサンプルに紫外線等の所定の波長を照射して観察する実験を行った。得られた実験結果を図６に示す。なお、評価方法については、○が効果あり、△がやや効果あり、×は効果なしとして示す。
図６Ａに示すように、潜像周囲部が６０線で４０％である場合、潜像部は１２０線以上の線数が必要である。図６Ｂに示すように、潜像周囲部が７０線で４０％である場合、潜像部は１４０線以上の線数が必要であり、図６Ｃのように、潜像周囲部が８０線で４０％である場合は、潜像部は１６０線以上の線数が必要であることがわかった。
以上説明したように本実施の形態によれば、通常の可視光線下では潜像画像を殆ど認識できず、紫外線照射下では、印刷物の単位印刷面積辺りの網点周囲長が相違することにより、蛍光有色インキによる蛍光発光の明度が相違し、蛍光発光によって目に感じる光の強弱に相違が生じて潜像画像を認識することが可能であり、容易に真偽判別することができる。
更に、単色印刷で容易に印刷できるのでコストを低減することができ、あえてカムフラージ模様を重ね刷りする必要がなく、目視可能な有色蛍光インキを一度刷りで印刷が可能である。このため、複写防止画線を施した印刷物に無色蛍光インキを重ねて印刷する必要がなく、刷り合わせの問題を解消し、材料コスト、印刷工程数を削減することができる。また、印刷時の濃度管理や画線太り等の調整が容易であり、印刷における許容範囲を広くすることができる。
また、曲線状の集合模様を、地紋模様、彩紋模様、レリーフ模様、モアレ模様のいずれか一つ又はこれらの組み合わせとしてもよい。このように、他種の偽造防止策を同一画線上に併用した印刷物とすることも可能であり、また印刷後にエンボス（凸凹）を付与しても真偽判別効果が得られる。従って、本実施の形態は、偽造、変造防止の対象である銀行券、株券、債券等の有価証券や、各種証明書及び重要書類等に適用することができる。
（２）  第２の実施の形態
第２の実施の形態は、曲線状の集合模様内に施された潜像画像が、通常可視光線下では肉眼で識別されず、紫外線を照射すると潜像画像が出現する真偽判別可能な印刷物に関し、曲線状の集合模様を、潜像を施さない一本の画線と肉眼では一本の連続線のように認識される潜像を施した複数に分岐した画線とで構成する。
図７に示すように、潜像を施さない一本の画線１０１（以下、無潜像画線という）と、潜像を施した複数に分岐した画線１０２（以下、分岐潜像画線という）とを備える。本第２の実施の形態の画線構成をより詳細にするために、曲画線を直線と仮定して図８を用いて説明する。図８に、無潜像画線と分岐潜像画線とが直線の状態で接した場合を想定して、それぞれの画線の境界部分を拡大して示す。
図８において、分岐潜像画線１０８の画線幅の合計を、無潜像画線１０７の画線幅とほぼ等しくするには、画線設計の段階で、無潜像画線の画線幅を１００Ａ、分岐潜像画線の画線幅の各々一本の画線幅を１００ａ、分岐潜像画線の分岐する本数をｎ（図２では、ｎ＝２）としたとき、１００ａ＝１００Ａ／ｎによって可能となる。
しかし、本第２の実施の形態の画線構成による真偽判別模様を印刷する場合において、分岐潜像画線と無潜像画線の画線幅に対し、印刷時におけるインキの膨らみによる画線幅の膨張値（または収縮値）の変化を考慮することが好ましい。すなわち、前述の印刷時に影響を受ける画線幅は、画線設計を行う場合に、印刷をした際のインキの膨らみによる画線片側に生じる膨張値（または収縮値）を１００ｇとしたとき、印刷物上での無潜像画線１０７の画線幅は１００Ａ＋１００ｇ＋１００ｇで、印刷物上での分岐潜像画線１０８の画線幅は１００ａ＋１００ｇ＋１００ｇであるから、無潜像画線の一本の画線の画線幅１００Ａと分岐潜像画線の各々の画線幅１００ａは、１００ａ＝｛１００Ａ−（１００ｇ＋１００ｇ）（ｎ−１）｝／ｎの関係を満足すれば良い。
第２の実施の形態の真偽判別模様の画線構成では、分岐潜像画線が、無潜像画線から分岐した画線形態をとっている。また、印刷物上の分岐潜像画線１０８の画線間の間隔（即ち、内側エッジ）を１００Ｓとしたとき、分岐潜像画線１０８を肉眼で認識することのできない範囲である２５〜６０ミクロンに設定している。これにより、分岐潜像画線１０８は、一本の連続線であるかのように肉眼では認識されるので、無潜像画線１０７の延長線上に分岐潜像画線１０８が存在するかのように認識される。
また、分岐潜像画線において、分岐潜像画線の画線幅の合計が、無潜像画線の画線幅に対し、９０％〜１１０％の範囲内であれば本第２の実施の形態の作用及び効果を生じさせることができる。この許容範囲は、分岐潜像画線１０８を肉眼で認識されることを防ぐことが可能な濃度範囲である。インキの色相にもよるが、領域面積が９０％〜１１０％であることが必要である。分岐潜像画線１０８の領域面積が９０％以下で作製された印刷物は、無潜像画線１０７よりも領域面積が小さいため、この領域の濃度が低下し、無潜像画線１０７の画線を肉眼で認識することができる。しかし、分岐潜像画線１０８の画線自体は肉眼では認識不可能となるため、肉眼で潜像を認識不可能にすることができる。
また、無潜像画線１０７の領域面積の上限を１１０％を超えない範囲とし、分岐潜像画線１０８の領域面積を１１０％以上で作製した印刷物は、分岐潜像画線１０８が無潜像画線１０７よりも領域面積が大きい。このため、分岐潜像画線１０８の濃度が増加し、分岐潜像画線１０８は、無潜像画線１０７より高濃度に肉眼で認識されるため、肉眼で認識不可能にするには不十分である。よって、本第２の実施の形態の効果を奏するためには、画線設計の段階において下記の式の関係を満足していることが好ましい。
０．９＊１００ａ≦［｛１００Ａ−（１００ｇ＋１００ｇ）＊（ｎ−１）｝／ｎ］≦１．１＊１００ａ              …          （１）
図７における無潜像画線１０１から分岐する分岐潜像画線１０２を設計するには、図８に示す基本曲線１０３から、最も外側に位置する分岐潜像画線の画線幅１００ａの中心をなす潜像曲線１０９までの間隔と、二本以上ある潜像曲線１０９において隣接する各々の潜像曲線１０９の間隔を求める必要がある。基本曲線１０３から最も外側に位置する潜像曲線１０９までの間隔を１００Ｗ’、隣接する各々の潜像曲線１０９の間隔を１００Ｗとする。前述の本第２の実施の形態の真偽判別模様の印刷物を目視したときに、無潜像画線１０７と分岐潜像画線１０８とが連続した一本の線に見えるようにするには、分岐潜像画線の二本線の画線１０８と無潜像画線１０７の位置関係は、１００Ｗ’＝｛（ｎ−１）（１００Ｓ＋１００ｇ＋１００ｇ＋１００ａ）｝／ｎ及び１００Ｗ＝２＊１００Ｗ’／（ｎ−１）で求まる。これにより、真偽判別効果の高い印刷物を得ることができる。
本第２の実施の形態の印刷物に紫外線を照射した場合に潜像画像を出現させるためには、図８に示すように基本曲線方向における分岐潜像画線１０８と無潜像画線１０７とにおけるそれぞれ同一長さ１００Ｂにおいて、分岐潜像画線１０８の合計の画線周囲長が、無潜像画線１０７の画線周囲長と異なっていなければならない。即ち、分岐潜像画線１０８の合計の画線周囲長１００Ｘ２と、無潜像画線１０７の画線周囲長１００Ｘ１は異なっていなければならない。更に好ましくは、分岐潜像画線１０８の合計の画線周囲長１００Ｘ２が、無潜像画線１０７の画線周囲長１００Ｘ１の、１．４倍以上あることが好ましい。即ち、本第２の実施の形態の効果を奏するには画線構成では画線設計の段階において、下記の式の関係を満足していることが好ましい。
１．４（２＊１００Ａ＋２＊１００Ｂ）≦ｎ（２＊１００ａ＋２＊１００Ｂ）                                                  …    （２）
紫外線照射時において、蛍光有色インキによる蛍光発光の明度は、印刷物の単位印刷面積辺りの画線周囲長の変化により、蛍光発光の目に感じる光の強弱の変化が生じるため、無潜像画線１０７と分岐潜像画線１０８を有色蛍光インキで印刷することが必須要件となる。
本第２の実施の形態の真偽判別模様を全体で見た際、図９に示すように、模様中の分岐潜像画線の画線同士が交差する部分が存在する場合、画線同士の交差（重なり）が存在しないように修正する。これにより、交差した部分に生ずる画線の高濃度化を防止することができる。即ち、真偽判別模様を作製した段階では、図１０のように、分岐潜像画線１０８が完全に交差している状態になっている場合がある。このような場合に、画線１０８同士が交差する交点１０５’において、いずれか一方の画線１０８の領域１００Ｄを、他方の画線１０８の内側に位置して削除する。これにより、印刷物に紫外線等のある特定波長を照射することによって、分岐潜像画線同士が交差する領域１００Ｄにおいて、蛍光発光明度差が生じることなく同一明度で蛍光発光し、分岐潜像画線で構成した真偽判別模様は均一な明度の画像として発現する。
上記条件で印刷された印刷物は、肉眼では分岐潜像画線が一本の画線であるかのように認識され、また無潜像画線の延長であるかのように認識され、肉眼では分岐潜像画線で構成した真偽判別模様を殆ど識別することができない。
また、印刷物に紫外線等の所定の波長を照射することによって、分岐潜像画線は無潜像画線より単位印刷面積辺りの画線周囲長が長く、無潜像画線より蛍光発光明度が高いので、分岐潜像画線と無潜像画線との間に蛍光発光明度差が生じ、分岐潜像画線で構成した真偽判別模様が発現する。
また、この印刷物を複写防止用の模様を有する線画構成で作製することにより、複写防止効果が得られる。
以下に、彩紋模様を用いた場合を例にとり説明する。一般的に彩紋模様は、図案に従い数学関数上で描画した模様であるため、模様を作製する装置としては、歯車、カム等の機械的動作によって描画する装置と、コンピュータを用いて二次元座標上の関数により描画する装置とがある。以下に、市販のＣＧＳを用いた場合を例にとり説明する。
前述したように印刷時の画線の膨張値（または収縮値）を加味して、製版時における画線設計を行う必要がある。そこで、予め膨張値（または収縮値）をテスト画線で調査した。テスト画線として、製版用フィルム原版上の画線幅を１００μｍとし、用紙に市販の上質紙を用い、インキも市販のオフセットインキ（ピンク）でオフセット印刷を行った後、印刷物の画線幅を測定した結果、１１６μｍと計測された。よって、画線幅方向の画線の膨張値は全体で１６μｍであり、印刷をした際の画線周囲に生じる膨張値（または収縮値）ｇは８μｍであることがわかった。
テスト画線により得られた画線周囲に生じる膨張値８μｍの値を用いて、第２の実施の形態に従い、無潜像画線の画線幅が１１６ミクロンの彩紋模様印刷物を得るための刷版を作製した。まず市販のＣＧＳを用い、図１１のような彩紋模様画線を構成するスプライン曲線からなる基本線１０３を二次元座標上に設定し、潜像パターン１１１をスプライン曲線からなる基本線１０３上に配置した。なお、潜像パターンは、本発明の印刷物が不心得者により複製された場合に、紫外線を照射して目視によって明瞭に識別できるものであれば、文字、数字、図形等の何れであってもよい。
無潜像画線と分岐潜像画線の作製は、図１１におけるスプライン曲線からなる基本線１０３と潜像パターン１１１との境界部１０４を部分的に拡大した図１２の潜像パターン１１１の領域と基本線との交点１０５において行う。
ここで、作製しようとしている真偽判別用彩紋模様の画線幅が１１６ミクロンであり、基本線１０３に対置する印刷画線幅が１１６ミクロンであるとした場合の画線設計上の画線幅は、前述のテスト画線で把握した印刷画線全体の膨張値１６ミクロンを差し引いた１００ミクロンとなる。
無潜像画線の画線設計においては、図８における分岐潜像画線の画線幅１００ａ、及び無潜像画線１０７と分岐潜像画線１０８との位置関係を規定し、基本線１０３から潜像曲線１０９までの間隔１００Ｗ’を設定する必要がある。これらの値は、前述したように、
１００ａ＝｛１００Ａ−（１００ｇ＋１００ｇ）（ｎ−１）｝／ｎ、及び
１００Ｗ’＝｛（ｎ−１）（１００Ｓ＋１００ｇ＋１００ｇ＋１００ａ）｝／ｎ
より求まる。
分岐潜像画線の本数ｎと、分岐潜像画線と無潜像画線の間隔１００Ｓを、予め設定することが必要である。まず、分岐潜像画線の本数ｎの設定は、潜像が肉眼で視認されないことが必要であるから、分岐潜像画線の一本の幅は、肉眼で認識することのできない６０ミクロン以下が適している。上述したように、印刷後の画線幅を１１６ミクロンとしている。そこで、分岐潜像画線の本数ｎを、１１６ミクロン／６０ミクロンよりｎ＝２とした。分岐潜像画線と分岐潜像画線の間隔１００Ｓは、分岐潜像画線が肉眼で視認されない範囲２５〜６０ミクロンから選択が可能であり、ここでは５０ミクロンとした。設定されたｎとＳを計算式にあてはめると、
１００ａ＝｛１００−（８＋８）（２−１）｝／２より、分岐潜像画線の一本の画線は４２ミクロン、基本線１０３から潜像曲線１０９までの間隔１００Ｗ’＝｛（２−１）（５０＋８＋８＋４２）｝／２より、５４ミクロンが得られた。ＣＧＳにおいて、図１３の潜像を施す部分の領域１１１の潜像曲線１０９は、潜像の境界線１０４上のスプライン曲線からなる基本線１０３の交点１０５を基準に、基本線１０３に対して１００Ｗ’が示すように両側へ５４ミクロン広げて設定した。
更に、数式（２）に、各画線の長さ、即ちＢの長さ１００ミクロンを代入すると、１．４（２×１００＋２×１００）≦２（２×４２＋２×１００）となり、５６０≦５６８となるので、この数式（３）の条件を満足していることがわかる。
次に、ＣＧＳで設計された真偽判別模様に対し、市販のレーザープロッタを用いて製版用フィルム原版を作製し、市販のポジタイプＰＳ版で刷版を作製した。インキ４７５ｇ（ＤＩＣ７９７：大日本インキ化学工業（株）製）に対し、蛍光顔料２５ｇ（ルミコール１０００：日本蛍光化学（株）製）を配合して有色蛍光インキを作製した。得られた刷版、有色蛍光インキを用い、オフセット印刷機で市販の上質紙に印刷し、図１４に示す印刷物を得た。
図１４の印刷物を目視で観察した場合、分岐潜像画線で構成した真偽判別模様１１２が二本に分岐した画線であるにもかかわらず、無潜像画線１０１から連続した一本の画線であるかのように認識される。これにより、肉眼では二本に分岐した画線で構成した真偽判別模様は殆ど識別できなくなる。従って、分岐潜像画線で構成した真偽判別模様１１２において、観察者は印刷画線の拡大視を試みない限り、二本に分岐した画線の存在を殆ど視認することができない。
図１５に、印刷物に紫外線照射器を用いて３６５ｎｍの紫外線を照射した状態を示す。真偽判別模様１１２’は無潜像画線１０１’より蛍光発光明度が高いため、分岐潜像画線で構成した真偽判別模様１１２’と無潜像画線１０１’に蛍光発光明度差が生じ、分岐潜像画線で構成した真偽判別模様が発現しているように肉眼で認識することができる。
以上説明したように本実施の形態によれば、通常の可視光線下では潜像画像を殆ど認識できず、紫外線照射下では、印刷物の単位印刷面積辺りの画線周囲長が相違することにより、蛍光有色インキによる蛍光発光の明度が相違し、蛍光発光によって目に感じる光の強弱に相違が生じて潜像画像を認識することが可能であり、容易に真偽判別することができる。
更に、単色印刷で容易に印刷できるのでコストも低減でき、あえてカムフラージ模様を重ね刷りする必要がなく、目視可能な有色蛍光インキを一度刷りで印刷できる。このため、複写防止画線を施した印刷物に無色蛍光インキを重ねて印刷する必要がなく、刷り合わせの問題を解消し、材料コスト、印刷工程数を削減することができる。また、印刷時の濃度管理や画線太り等の調整が容易であり、印刷での許容範囲が広い。
地紋、彩紋模様にモアレ模様等の他種の偽造防止策を同一画線上に併用した印刷物とすることも可能であり、印刷後にエンボス（凸凹）を付与しても真偽判別効果が低下することがない。従って、本実施の形態は、偽造、変造防止の対象である銀行券、株券、債券等の有価証券や、各種証明書及び重要書類等に適用することができる。
（３）  第３の実施の形態
以下、本発明の第３の実施の形態について説明する。
第３の実施の形態は、曲線状の集合模様内に施された潜像画像を、通常可視光線下では肉眼で識別することができず、紫外線を照射すると潜像画像が出現する真偽判別可能な印刷物に関するものである。曲線状の集合模様は、図１６に示すように、潜像を施さない曲線状の線画２０１（以下、無潜像画線という）と潜像を施した曲線上の線画２０２（以下、分断潜像画線という）によって構成される。第３の実施の形態の線画構成をより詳細に示すために、曲線状の線画を直線と仮定して、図１７を用いて説明する。この図１７は、図１６に示す無潜像画線２０１と分断潜像画線２０２とが接した場合における境界部分を拡大したものに相当する。
図１７において、無潜像画線２１１の基本曲線２０３に対して直角方向の画線幅を２００Ａ、分断潜像画線の画線部の基本曲線に対して直角方向の画線幅を２００ａ、分断潜像画線の画線部の基本線方向の長さを２００ｂ、分断潜像画線の非画線部の基本線方向の長さを２００Ｃ、分断潜像画線の連続した一つの画線部と非画線部からなる一周期の基本曲線方向の長さを２００Ｂ、印刷した際にインキの膨らみによる画線部の周囲に生じる膨張値（または収縮値）を２００ｇとする。
ここで、印刷する場合において、無潜像画線２１１と分断潜像画線２１２の面積が重要な要素となる。そこで、印刷時に影響を受ける基本曲線に対して直角方向の画線幅と基本曲線方向の画線長さとに対し、インキの膨らみによる画線幅の膨張値（または収縮値）の変化を考慮することが好ましい。印刷物上において、無潜像画線２１１の基本曲線に対して直角方向の画線幅は２００Ａ＋２００ｇ＋２００ｇで、分断潜像画線２１２の基本曲線に対して直角方向の画線幅は２００ａ＋２００ｇ＋２００ｇで、分断潜像画線２１２の基本曲線方向の長さは２００ｂ＋２００ｇ＋２００ｇとなる。
よって、基本曲線方向における一周期の長さ２００Ｂにおける、無潜像画線２１１の領域面積２００Ｚ１と、分断潜像画線２１２の領域面積２００Ｚ２がほぼ等しくならなければならない。即ち、無潜像画線２１１の基本曲線に対して直角方向の画線幅２００Ａは２００Ａ＋２＊２００ｇとなり、分断潜像画線２１２の基本曲線に対して直角方向の画線幅２００ａは２００ａ＋２＊２００ｇとなり、画線幅２００ａに対して基本線方向の長さは２００ｂ＋２＊２００ｇとなる。
通常可視光線下では肉眼で潜像画像を識別できないようにするためには、基本曲線方向における一周期の長さ２００Ｂにおける、無潜像画線２１１に対して、印刷時のインキの膨らみによる画線周囲に生じる膨張値を加味した領域面積２００Ｚ１と、分断潜像画線２１２に対して、印刷時に生じるインキの膨らみによる膨張値を加味した画線部の領域面積２００Ｚ２との関係が重要であり、２００Ｚ１は２００Ｚ２とほぼ等しくならなければならない。線画設計の段階において、無潜像画線２１１の基本曲線に対して直角方向の画線幅２００Ａと、分断潜像画線２１２の基本曲線に対して直角方向の画線幅２００ａが、下記の式の関係を満足していることが好ましい。
２００ａ＝２００Ｂ（２００Ａ＋２００ｇ＋２００ｇ）／（２００ｂ＋２００ｇ＋２００ｇ）−（２００ｇ＋２００ｇ）      …      （３）
更には、２００Ｚ２が２００Ｚ１の９０％〜１１０％の範囲内であれば、通常可視光線下において肉眼で潜像画像を識別できないようにすることができる。この範囲は、印刷時において分断潜像画線２１２で作製した潜像画像を肉眼で認識させることを防ぐことが可能な濃度範囲であり、インキの色相にもよるが領域面積が９０％〜１１０％であることが必要である。
分断潜像画線２１２の領域面積が９０％以下で作製された印刷物は、無潜像画線２１１よりも領域面積は小さいため、濃度の低下を及ぼす。
無潜像画線２１１の画線は肉眼で認識できるが、分断潜像画線２１２の画線自体が肉眼では認識不可能となるため、肉眼で潜像を認識不可能にするには不十分である。
また、分断潜像画線２１２の領域面積が１１０％以上で作製された印刷物は、分断潜像画線２１２は無潜像画線２１１よりも領域面積が大きい。このため、濃度が増加し、分断潜像画線２１２は無潜像画線２１１より高濃度に肉眼で認識される。よって、肉眼で認識不可能にするには不十分であり、第３の実施の形態の意とする効果を得ることができなくなる。即ち、第３の実施の形態の効果を奏する画線構成では画線設計の段階において、下記の式の関係を満足していることが好ましい。
０．９＊２００Ｂ（２００Ａ＋２＊２００ｇ）≦（２００ａ＋２＊２００ｇ）×（２００ｂ＋２＊２００ｇ）≦１．１＊２００Ｂ（２００Ａ＋２＊２００ｇ）    …  （４）
紫外線を照射した場合に潜像画像を出現させるためには、図１７に示すように、基本曲線方向における一周期の長さ２００Ｂにおいて、無潜像画線２１１に印刷時における画線周囲に生じる膨張値を加味した領域面積の周囲長２００Ｘ１と、分断潜像画線２１２に印刷時に生じる膨張値を加味した画線部の領域面積の周囲長２００Ｘ２との関係が重要であり、２００Ｚ２と２００Ｚ１の面積の周囲長は異なっていなければならない。更に好ましくは、２００Ｚ２の周囲長が２００Ｚ１の周囲長の１．１倍以上あることが好ましい。即ち、第３の実施の形態の効果を奏するには、線画設計の段階において下記の式の関係を満足していることが好ましい。
１．１｛２＊２００Ｂ＋２（２００Ａ＋２＊２００ｇ）｝≦（２＊２００ｂ＋４＊２００ｇ）＋（２＊２００ａ＋４＊２００ｇ）    …    （５）
分断潜像画線の非画線部の基本線方向の長さ２００Ｃは、肉眼で認識することのできない２５〜６０ミクロンの範囲内で設定する。これにより、分断潜像画線２１２は、一本の連続線であるかのように肉眼では認識され、分断潜像画線２１２は無潜像画線２１１の延長であるかのように認識される。
紫外線照射時において、蛍光有色インキによる蛍光発光の明度は、印刷物の単位印刷面積辺りの画線周囲長の変化により、蛍光発光の目に感じる光の強弱の変化が生じる。このため、無潜像画線２１１と分断潜像画線２１２を有色蛍光インキで印刷することが必須要件となる。
図１８に示すように、分断潜像画線２１２の画線部同士が交差する領域２００Ｄで、画線部２１２のいずれか一方の画線部２１２を削除する。よって、真偽判別模様を全体で見た際、曲線状の画線部同士が交差する領域２００Ｄが存在するように見えても、実際には分断潜像画線２１２の画線部同士の交差（重なり）が存在しないように修正しているので、交差した部分に生じる画線部の高濃度化を防止できることとなる。
即ち、分断潜像画線２１２で構成した真偽判別模様の作製時には、図１９のように、分断潜像画線２１２の画線部同士は完全に交差した状態となっている場合がある。しかし、図１８に示すように画線部同士が交差する領域２００Ｄでいずれか一方の画線を削除する。
これにより、印刷物に紫外線等のある特定波長を照射することによって、分断潜像画線の画線部同士が交差する領域２００Ｄにおいては、蛍光発光明度差が生じることなく同一明度で蛍光発光し、分断潜像画線で構成した真偽判別模様は均一な明度の画像として発現する。
上記条件で印刷された印刷物は、肉眼では分断潜像画線の画線部は一本の連続線であるかのように認識され、分断潜像画線の画線部は無潜像画線の連続線の延長であるかのように認識され、肉眼では分断潜像画線の画線部で構成した真偽判別模様を殆ど識別することができない。
また、印刷物に紫外線等の所定の波長を照射することによって、分断潜像画線の画線部は無潜像画線の連続線より一周期に相当する画線周囲長が長く、無潜像画線の連続線より蛍光発光明度が高い。このため、分断潜像画線の画線部と無潜像画線の連続線との間に蛍光発光明度差が生じ、分断潜像画線の画線部で構成した真偽判別模様が発現する。
また、第３の実施の形態による印刷物を、複写防止模様の有する線画構成で作製することにより複写防止効果が得られる。
本第３の実施の形態について、さらに市販のＣＧＳを用いて彩紋模様を作製した場合を例にとり、説明する。
本第３の実施の形態においては、前述したように印刷時の画線の膨張値（または収縮値）を考慮して製版時における画線設計を行うために、予め膨張値（または収縮値）をテスト画線で調査した。
テスト画線として、製版用フィルム原版上の画線幅を１００ミクロンとし、市販の上質紙を用い、市販のオフセットインキ（薄紅）でオフセット印刷を行った。印刷物の画線幅を測定した結果、１１６ミクロンと計測されたので、基本線方向の画線の膨張値は全体で１６ミクロンであり、印刷をした際の画線周囲に生じる膨張値（または収縮値）ｇは８ミクロンであることがわかった。
得られた膨張値８μｍの値を用いて、無潜像画線の連続線の基本曲線に対して直角方向に印刷画線幅が１１６μｍとなる複数の彩紋模様印刷物を得るための刷版を作製した。ＣＧＳを用いて、図２０に示すような複数の画線からなる模様を構成するスプライン曲線からなる基本曲線２０９を描く。この基本曲線２０９は緩やかな波状の線であり、基本曲線２０９を二次元座標上に設定し、分断潜像画線で構成した真偽判別模様２１０を基本曲線２０９上に配置した。なお、分断潜像画線の画線部で構成した真偽判別模様２１０は、通常は肉眼で認識できない図形である。この印刷物が不心得者により複製された場合に、紫外線を照射して目視によって明瞭に識別できるものであれば、文字、数字、図形等の何れであってもよい。
無潜像画線と分断潜像画線の境界は、図２０に示すように、スプライン曲線からなる基本曲線２０９と、分断潜像画線の真偽判別模様２１０の輪郭線２０４で囲まれた線画２１３とからなり、これらスプライン曲線に画線幅ならびに定周期断絶線の数値を代入する。
図１７における無潜像画線２１１の基本曲線２０３において、直角方向の印刷画線幅を１１６μｍとし、画線設計上の画線幅２００Ａを、前述のテスト画線で把握した画線幅方向の画線の膨張値（８＋８）μｍを差し引いた１００μｍとした。
次に画線の設定を行った。この長さ２００ｂ＋２００ｇ＋２００ｇを５０ミクロンとした。テスト画線で把握した基本線方向の画線幅の膨張値１６ミクロンを差し引くことにより、２００ｂを３４ミクロンとした。分断潜像画線の非画線部の基本曲線方向の長さ２００Ｃは、分断潜像画線が肉眼で認識されない範囲２５〜６０ミクロンから選択することができ、ここでは５０ミクロンとした。これにより分断潜像画線の一周期の基本曲線方向の長さ２００Ｂは、３４＋１６＋５０より、１００ミクロンとした。設定された２００ｂ及び２００Ｂを上記式に代入すると、２００ａ＝１００（１００＋８＋８）／（３４＋８＋８）−（８＋８）となり、分断潜像画線の画線部の基本曲線に対して直角方向の画線幅２００ａとして２１６ミクロンという値が得られた。
計算式で得られた数値によって、図２１に示すように二次元データ上で、無潜像画線の連続線の基本曲線に対して直角方向の画線幅２００Ａを１００ミクロン、分断潜像画線の画線部の基本曲線に対して直角方向の画線部２００ａを２１６ミクロン、分断潜像画線の画線部の基本曲線方向の長さ２００ｂを３４ミクロン、分断潜像画線の一周期の基本曲線方向の長さ２００Ｂを１００ミクロンとした。
上記数式（５）に各画線の長さを代入すると、１．１｛２×５０＋２（１００＋２×８）｝≦（２×３４＋４×８）＋（２×２１６＋４×８）ゆえ、３６５．２≦５６４となり、条件を満足していることがわかる。
市販のレーザープロッタを用いて製版用フィルム原版を作製し、市販のポジタイプＰＳ版で刷版を作製した。インキ４７５ｇ（ＤＩＣ７９７：大日本インキ化学工業（株）製）に蛍光顔料２５ｇ（ルミコール１０００：日本蛍光化学（株）製）を配合して有色蛍光インキを作製した。得られた刷版、有色蛍光インキを用い、オフセット印刷機で市販の上質紙に印刷し、図２２に示す印刷物を得た。
図２２の印刷物を目視で観察した場合、分断潜像画線である真偽判別模様２１０は定周期断絶線であるにもかかわらず無潜像画線２１１であるかのように認識され、分断潜像画線である真偽判別模様２１０を殆ど識別することができない。従って、観察者は印刷画線の拡大視を試みない限り、定周期断絶線による画線の存在を殆ど視認することはできない。
図２２の印刷物に、紫外線照射器で３６５ｎｍの紫外線を照射した状態を図２３に示す。真偽判別模様２１０’は無潜像画線２１１’より蛍光発光明度が高いため、分断潜像画線である真偽判別模様２１０’と無潜像画線２１１’との間に蛍光発光明度差が生じ、分断潜像画線である真偽判別模様２１０’が発現しているように肉眼で認識することができる。
分断潜像画線の画線部及び非画線部からなる一周期に相当する部分の画線周囲長と、無潜像画線の連続線のうち、基本曲線方向の定周期断絶線における一周期と同一の長さに相当する部分の画線周囲長との、適正比率を求める実験を行った。この実験より得られた結果を図２４に示す。ここでは、評価結果として、○が効果あり、△がやや効果あり、×は効果なしとして表示した。
図２４に示すように、分断潜像画線の一周期に相当する部分の画線周囲長を、無潜像画線の連続線のうち、基本曲線方向における定周期断絶線における一周期と同一の長さに相当する部分の画線周囲長に対して、１．１倍以上とすることによって紫外線を照射したとき画像が認識できることがわかった。
以上説明したように本実施の形態によれば、通常の可視光線下では潜像画像を殆ど認識できず、紫外線照射下では、印刷物の単位印刷面積辺りの画線周囲長が相違することにより、蛍光有色インキによる蛍光発光の明度が相違し、蛍光発光によって目に感じる光の強弱に相違が生じて潜像画像を認識することが可能であり、容易に真偽判別することができる。
更に、単色印刷で容易に印刷できるのでコストも低減でき、あえてカムフラージ模様を重ね刷りする必要がなく、目視可能な有色蛍光インキを一度刷りで印刷できる。このため、複写防止画線を施した印刷物に無色蛍光インキを重ねて印刷する必要がなく、刷り合わせの問題を解消し、材料コスト、印刷工程数を削減することができる。また、印刷時の濃度管理や画線太り等の調整が容易であり、印刷での許容範囲が広くても真偽判別効果を有する。
地紋、彩紋模様にモアレ模様等の他種の偽造防止策を同一画線上に併用した印刷物とすることも可能であり、印刷後にエンボス（凸凹）を付与しても真偽判別効果が低下することがない。従って、本実施の形態は、偽造、変造防止の対象である銀行券、株券、債券等の有価証券や、各種証明書及び重要書類等に適用することができる。
（４）  第４の実施の形態
以下、本発明の第４の実施の形態について説明する。
第４の実施の形態は、潜像を施した部分の画線を、基準線を縦断する方向に等距離に３分岐した構成の断絶線により構成した真偽判別模様として説明しているが、３分岐に限らず、基準線を縦断する方向にｎ（ｎは２以上）分岐以上していれば良い。
第４の実施の形態の潜像を施した部分の画線をより詳細に示すために、図２５に定周期断絶線を、図２６にずれ周期並置の定周期断絶線を、図２７に異周期並置の定周期断絶線を示す。
図２５において、潜像を施さない部分の画線３０１の基準線３０３に対して直角方向の画線幅を３００Ａ、定周期断絶線による画線群３０２ａ、３０２ｂ、３０２ｃの画線部の基準線３０３を通る直角方向の画線幅を３００ａ、基準線３０３を基準に上下に等距離３００Ｈだけ離れた定周期断絶線の中心線３００Ｈ２に対して直角方向の画線幅を３００ｂ、３００ｃ、画線幅３００ａに対しての基準線方向の長さを３００ａ２、画線幅３００ｂに対しての基準線方向の長さを３００ｂ２、画線幅３００ｃに対しての基準線方向の長さを３００ｃ２とし、画線幅３００ａの定周期断絶線の非画線部の基準線方向の長さを３００ａ３、画線幅３００ｂの定周期断絶線の非画線部の基準線方向の長さを３００ｂ３、画線幅３００ｃの定周期断絶線の非画線部の基準線方向の長さを３００ｃ３とする。
定周期断絶線による連続した一つの画線部と非画線部とからなる一周期の基準線方向の長さを３００Ｂ、印刷した際に画線部の周囲に生じる膨張値（または収縮値）を３００ｇとする。ここで、第４の実施の形態の定周期断絶線で構成した真偽判別模様を有する印刷物を印刷する場合、潜像を施さない部分の画線３０１と定周期断絶線による画線群３０２ａ、３０２ｂ、３０２ｃの画線面積が重要な要素となり、印刷時の画線部における基準線３０３に対して直角方向の画線幅と基準線方向の画線長さの変化を考慮することが好ましい。印刷物上において、潜像を施さない部分の画線３０１の基準線３０３に対して直角方向の画線幅は３００Ａ＋３００ｇ＋３００ｇ、即ち、３００Ａ＋２＊３００ｇとなり、定周期断絶線による画線群３０２ａ、３０２ｂ、３０２ｃの画線部の基準線３０３に対して直角方向の画線幅は、それぞれ３００ａ＋３０２ｇ、３００ｂ＋３０２ｇ、３００ｃ＋３０２ｇとなり、画線幅に対しての基準線方向の長さは３００ａ２＋３０２ｇ、３００ｂ２＋３０２ｇ、３００ｃ２＋３０２ｇとなる。
基準線方向における一周期の長さ３００Ｂにおける、潜像を施さない部分の画線３０１に印刷時における画線周囲に生じる膨張値を加味した領域面積３００Ｘと、断絶線による画線群３０２ａ、３０２ｂ、３０２ｃに印刷時における画線周囲に生じる膨張値を加味した画線部３００Ｙ１、３００Ｙ２、３００Ｙ３の領域面積３００Ｚ１との関係が重要であり、３００Ｘは３００Ｙ１、３００Ｙ２、３００Ｙ３の面積の総和である３００Ｚ１とほぼ等しくならなければならない。
更に好ましくは、３００Ｙ１、３００Ｙ２、３００Ｙ３の画線面積の総和が、３００Ｘの９５％〜１１０％の範囲内に含まれるようにする。この範囲は、印刷時において定周期断絶線が肉眼で認識させることを防ぐ濃度範囲であり、且つ、複写後に定周期断絶線が肉眼で背景色とほぼ同色となる範囲であり、インキの色相にもよるが領域面積が９５％〜１１０％であることが必要である。
定周期断絶線の領域面積が９５％以下で、且つ、有色蛍光インキで作製された印刷物は、潜像を施さない部分の画線よりも領域面積は小さいため、濃度の低下を及ぼし、定周期断絶線を肉眼で認識することが可能となり、肉眼で認識不可能にするには不十分である。更に、紫外線等の所定の波長を照射した場合、潜像を施さない部分の画線と定周期断絶線とに発光明度差が生じにくいため、定周期断絶線により構成した真偽判別模様が肉眼で認識不可能となる。また、定周期断絶線の領域面積が１１０％以上で、且つ、有色蛍光インキで作製された印刷物では、定周期断絶線は、潜像を施さない部分の画線よりも領域面積が大きいため濃度の増加を及ぼし、肉眼で認識することが可能となって肉眼で認識不可能にするには不十分である。即ち、画線設計の段階において、下記の式の関係を満足していることが好ましい。
０．９５＊３００Ｂ（３００Ａ＋２＊３００ｇ）≦［（３００ａ２＋２＊３００ｇ）×（３００ａ＋２＊３００ｇ）］＋［（３００ｂ２＋２＊３００ｇ）＊（３００ｂ＋２＊３００ｇ）］＋［（３００ｃ２＋２＊３００ｇ）＊（３００ｃ＋２＊３００ｇ）］≦１．１＊３００Ｂ（３００Ａ＋２＊３００ｇ）…（６）
印刷物上での、定周期断絶線の画線部のそれぞれの長さ３００ａ、３００ｂ、３００ｃ、３００ａ２、３００ｂ２、３００ｃ２は、複写機で解像されにくい長さの目安として６４μｍ以下が適している。また、定周期断絶線の非画線部の基準線方向の長さ３００ａ３、３００ｂ３、３００ｃ３は、複写機では解像されない範囲内２５μｍ〜６０μｍで設定すれば良い。
潜像を施さない部分の画線及び潜像を施した部分の定周期断絶線を、有色蛍光インキで印刷すると、肉眼では定周期断絶線は一本の画線であるかのように認識される。このため、定周期断絶線は潜像を施さない部分の画線の延長であるかのように認識され、肉眼では定周期断絶線で構成した真偽判別模様を殆ど識別することができない。
また、定周期断絶線を有する印刷物に紫外線等の所定の波長を照射した場合、定周期断絶線は潜像を施さない部分の画線から細分化されているため、潜像を施さない部分の画線より発光明度が高く、定周期断絶線と潜像を施さない部分の画線との間に発光明度差が生じ、定周期断絶線で構成した真偽判別模様が発現する。
更に、定周期断絶線を有する印刷物を複写機により複写すると、複写機の解像度が原因となって、潜像を施さない部分の画線はそのまま再生され、定周期断絶線は再生されないかもしくは再生不能となる。このため、複写物を肉眼で観察した場合、潜像を施さない部分の画線は基準線方向に連続した一本の画線として認識され、定周期断絶線は細分化され認識不能となり、定周期断絶線と潜像を施さない部分の画線との間に濃度差が生じ、肉眼では定周期断絶線は背景色とほぼ同色となり、定周期断絶線で構成した真偽判別模様が発現する。
図２６は、ずれ周期並置の定周期断絶線の構成図であり、図２５の定周期断絶線による画線群３０２ａ、３０２ｂ、３０２ｃの構成に対し、ずれ周期並置の定周期断絶線による画線群３０２ａ’、３０２ｂ’、３０２ｃ’では一本の画線３０２ａ’が他の分岐した二本の画線群３０２ｂ’及び３０２ｃ’よりずれ３００Ｓを有する。一本の画線３０２ａ’のずれ３００Ｓの値については、他の分岐した二本の基準線方向の長さ３００ｂ２もしくは長さ３００ｃ２の値に近似すればするほど、ずれ周期並置の定周期断絶線で構成した真偽判別模様を紫外線等の所定の波長を照射した場合、又は複写機で複写した場合において、真偽判別模様が一層明瞭に発現する。
更に、図２７は異周期並置の定周期断絶線の構成図であり、図２５の定周期断絶線の画線群３０２ａ、３０２ｂ、３０２ｃの構成に対し、異周期並置の定周期断絶線の画線群３０２ａ’’、３０２ｂ’’、３０２ｃ’’では一本の画線３０２ａ’’の画線部と非画線部からなる一周期の基準線方向の長さをＴ、他の分岐した二本の画線３０２ｂ’’及び３０２ｃ’’の画線部と非画線部からなる一周期の基準線方向の長さＢとした場合、画線部と非画線部からなる一周期の基準線方向の長さＢより画線部と非画線部からなる一周期の基準線方向の長さＴを長周期で設定する。画線部と非画線部からなる一周期の基準線方向の長さＴの値を、領域面積を加味できる範囲で長い周期で設定すればするほど、異周期並置の定周期断絶線で構成した真偽判別模様を紫外線等の所定の波長を照射した場合、又は複写機で複写した場合において、真偽判別模様が一層明瞭に発現する。
また、ずれ周期並置の定周期断絶又は異周期並置の定周期断絶において、潜像を施した部分の断絶線のうち、基準線方向に直角に分断された断絶線の画線部と非画線部からなる一周期に相当する部分の長さの画線群の画線面積の総和が、潜像を施さない部分の実線のうち、基準線方向に直角に分断されたこれらの断絶線における一周期と同一の長さに相当する部分の実線の画線面積の、９５％〜１１０％の範囲内であることが望ましい。
図２８に示すように、第４の実施の形態の定周期断絶線の画線３０２の画線同士が交差する領域で、画線３０２の何れか一方の画線３０２を削除する。これにより、第４の実施の形態の真偽判別模様を全体で見た際、真偽判別模様中の曲線状の画線同士が交差する領域が存在するように見えても、実際には定周期断絶線の画線３０２の画線同士の交差（重なり）が存在しなくなる。従って、交差した部分に生ずる画線の高濃度化を防止することができる。即ち、定周期断絶線で構成した真偽判別模様の作製時には図２７のように、定周期断絶線の画線３０２の画線同士は完全に交差した状態となっている場合があるが、図２８のように、画線同士が交差する領域で何れか一方の画線を削除する。これにより、印刷物に紫外線等の所定の波長を照射すると、定周期断絶線の画線同士が交差する（重なる）領域において、発光明度差が生じることなく同一明度で発光し、定周期断絶線で構成した真偽判別模様は一層明瞭に潜像が発現する。また、複写機により複写すると、画線同士が交差する領域で何れか一方の画線を削除しているため、画線同士が交差する（重なる）領域において画線が再生されることを防ぎ、潜像を施さない部分の画線は忠実に再生されるが、定周期断絶線の画線は再生されないか、もしくは再生不良により背景色とほぼ同色となり、定周期断絶線の画線と潜像を施さない部分の画線に濃度差が生じるだけでなく、肉眼での潜像の発現を阻害すること無くより一層明瞭に真偽判別模様が発現する。また、潜像を施さない部分の画線、断絶線、定周期断絶線、ずれ周期並置の定周期断絶線又は異周期並置の定周期断絶線のいずれか若しくはこれら双方の画線同士が交差する部分で、交差する画線同士のいずれか一方の画線を削除することにより、同様の効果が得られる。
基準線方向に分断された断絶線の画線部と非画線部からなる一周期に相当する部分の長さの画線群の画線面積の総和が、潜像を施さない部分の実線のうち、基準線方向に直角に分断された断絶線における一周期と同一の長さに相当する部分の実線の画線面積とほぼ等しければ、基準線方向に分断されたそれぞれの画線面積が異なっていても良い。また、本第４の実施の形態の画線構成で作製した印刷物の上に、地紋等のカモフラージュ模様を重ね刷りしても良い。
本実施例で用いた数値は、これに限定されるものでなく必要に応じて変更が可能である。
本第４の実施の形態について、市販のＣＧＳを用いて彩紋模様を作製した場合を例にとり、さらに説明する。
印刷時の画線の膨張値（または収縮値）を考慮して製版時における画線設計を行うために、予め膨張値（または収縮値）をテスト画線で調査した。テスト画線として、製版用フィルム原版上の画線幅を１００μｍとし、用紙に市販の上質紙を用い、市販のオフセットインキ（ピンク）でオフセット印刷を行った後、印刷物の画線幅を測定した。その結果１０６μｍと計測されたので、画線幅方向の画線の膨張値は全体で６μｍであり、印刷をした際の画線周囲に生じる膨張値（または収縮値）は３μｍであることがわかった。
テスト画線により得られた画線周囲に生じる膨張値３μｍの値を用いて、潜像を施さない部分の実線の基準線に対して直角方向に印刷画線幅が１０６μｍとなる印刷物を得るための刷版を作製した。まず市販のＣＧＳを用い、図３０に示すような複数の画線からなる模様を構成する。スプライン曲線からなる基本線３０８は緩やかな波状の線であり、このスプライン曲線からなる基本線３０８を二次元座標上に設定し、３００μｍの間隔で平行に送り、定周期断絶線で構成した真偽判別模様３０９を、スプライン曲線からなる基本線３０８上に配置した。なお、定周期断絶線で構成した真偽判別模様３０９は、通常は肉眼で認識できない図形である。この印刷物が不心得者により複写機によって複製された場合に、目視によって明瞭に識別できるものであれば、文字、数字、図形等の何れであってもよい。
潜像を施さない部分の画線と定周期断絶線の境界線は、図３０に示すように、真偽判別模様の輪郭線３０５で基本線３０８を切断し、定周期断絶線で構成した真偽判別模様３０９で囲まれた画線を集め、基本線３０８の中心線を基準に上下に等距離８０μｍに画線を設ける。このスプライン曲線を用いて画線幅ならびに定周期断絶線の数値を代入する。中心線を基準に等距離に上下に８０μｍの距離に画線を設けたが、これは基本線３０８を３００μｍに設定したことによる。しかし、定周期断絶線の画線同士が重ならない程度の間隔とする必要があり、基本線３０８の間隔によって値を変える必要がある。
図２５における潜像を施さない部分の画線３０１の基準線３０３に対して直角方向の印刷画線幅を１０６μｍとし、画線設計上の画線幅３００Ａを、前述のテスト画線で把握した画線幅方向の画線の膨張値（３＋３）μｍを差し引いた１００μｍに設定した。
次に、定周期断絶線で構成した真偽判別模様の画線群の設定、即ち、図２５における定周期断絶線で構成した真偽判別模様の画線群３０２ａ、３０２ｂ、３０２ｃの定周期断絶線の画線部の基準線３０３に対して直角方向の画線幅３００ａ、３００ｂ、３００ｃと、定周期断絶線で構成した真偽判別模様の画線群の画線部の基準線方向の長さ３００ａ２、３００ｂ２、３００ｃ２と、定周期断絶線で構成した真偽判別模様の画線群の非画線部の基準線方向の長さ３００ａ３、３００ｂ３、３００ｃ３を設定することが必要である。
印刷物上における定周期断絶線で構成した真偽判別模様の画線群の画線部の基準線方向の長さ３００ａ２＋３０２ｇ、３００ｂ２＋３０２ｇ、３００ｃ２＋３０２ｇの設定に関し、潜像が肉眼で視認されず、且つ、複写機で解像されないようにすることが必要である。
そこで、一般的な複写機の出力解像度を４００ｄｐｉとすると１画素は６４μｍであるから、解像されにくい長さの目安として６４μｍ以下が適している。定周期断絶線で構成した真偽判別模様の画線群では、３００ａ＋３０２ｇを５６μｍ、３００ｂ＋３０２ｇを５６μｍ、３００ｃ＋３０２ｇを５６μｍとし、基準線３０３を基準に上下に等距離に設定した３００Ｈを定周期断絶線の画線同士の重なり合いを防ぐために８０μｍとし、３００ａ２＋３０２ｇを５６μｍ、３００ｂ２＋３０２ｇを５６μｍ、３００ｃ２＋３０２ｇを５６μｍとした。非画線部の基準線方向の長さを、潜像が肉眼で認識されず、且つ複写機で解像されない範囲２５μｍ〜６０μｍから選択する必要があり、ここでは３００ａ３は３１μｍ、３００ｂ３は３１μｍ、３００ｃ３は３１μｍとした。
テスト画線より得られた、基準線方向の画線の膨張値（３＋３）μｍを差し引くことにより、３００ａは５０μｍ、３００ｂは５０μｍ、３００ｃは５０μｍ、３００ａ２は５０μｍ、３００ｂ２は５０μｍ、３００ｃ２は５０μｍとした。３００Ｂの長さは非画線部３１μｍから膨張値（３＋３）μｍを引いた値に画線部の長さ５６μｍを加算したものであり、（３１−６）＋５６＝８１とした。
これを上記数式（６）に代入すると、０．９５×８１×１０６≦５６×５６＋５６×５６＋５６×５６≦１．１×８×１０６ゆえ、８１５６．７≦９４０８≦９４４４．６となり条件を満足しているのがわかる。
市販のレーザープロッタを用いて製版用フィルム原版を作製し、市販のポジタイプＰＳ版で刷版を作製した。インキ４７５ｇ（ＤＩＣ７９７：大日本インキ化学工業（株）製）に蛍光顔料２５ｇ（ルミコール１０００：日本蛍光化学（株）製）を配合して有色蛍光インキを作製した。得られた刷版、有色蛍光インキを用い、オフセット印刷機で市販の上質紙に印刷し、図３１に示すような印刷物を得た。
図３１の印刷物を目視で観察した場合、潜像を施した部分の画線である定周期断絶線で構成した真偽判別模様３０２が定周期断絶線であるにもかかわらず、潜像を施さない部分の画線３０１に連続した一本の画線であるかのように認識されることにより、定周期断絶線で構成した真偽判別模様は殆ど識別されない。従って、定周期断絶線で構成した真偽判別模様３０２において、印刷画線の拡大視を試みない限り、定周期断絶線による画線群の存在を殆ど視認することができない。
図３２に、印刷物に３６５ｎｍの紫外線を照射した状態を示す。真偽判別模様３０２’は、潜像を施さない部分の画線３０１’より発光明度が高い。このため、定周期断絶線で構成した真偽判別模様３０２’と潜像を施さない部分の画線３０１’に発光明度差が生じ、定周期断絶線で構成した真偽判別模様が発現しているように肉眼で認識できる。
図３３に、この印刷物をカラー複写機（例えば、キャノンＣＬＣ９００型、リコーＰＡＴＥＲ７５０型、ミノルタＣＦ９００）によって複製した複製物を示す。真偽判別模様３０２’’は複写機で再生不能となり、定周期断絶線で構成した真偽判別模様３０２’’と潜像を施さない部分の画線３０１’’に濃度差が生じ、定周期断絶線で構成した真偽判別模様３０２’’は背景色とほぼ同色となり、定周期断絶線で構成した真偽判別模様が発現しているように肉眼で認識できる。
なお、上述した実施の形態はいずれも一例であって、本発明はこれらに限定されるものでなく、特許請求の範囲に記載された範囲内であれば、様々に変形することが可能である。また、上記実施の形態において用いた数値は、これに限定されるものでなく必要に応じて変更が可能である。
以上説明したように、本実施の形態によれば、通常の可視光線下では潜像を認識することが殆どできないが、紫外線下において肉眼で認識することができる潜像が形成され、且つ、複写機により複写した場合に複写防止画線により潜像が認識されることで、複写物に対しては紫外線照射装置を用いなくとも複写防止画線により真偽判別可能であるため、偽造防止効果の向上を図ることができる。ここで、潜像を施した部分の画線は定周期断絶線により細分化しているため、潜像を施さない部分の画線と潜像を施した部分の画線群は、紫外線等の所定の波長を照射した場合及び複写機で複写した場合に潜像が一層明瞭に発現することができる。
また、潜像を施した部分の画線を、ずれ周期並置の定周期断絶又は異周期並置の定周期断絶にすることにより、紫外線等の所定の波長を照射した場合及び複写機で複写した場合に潜像がより一層明瞭に発現することができる。
紫外線照射装置においては、持ち運び可能な小型ハンディータイプのもので十分に識別可能であるため、コスト、設置場所等の問題もなく、場所を問わず容易に真偽判別可能である。
更に、目視可能な有色蛍光インキの一度刷りによって印刷でき、複写防止画線を印刷した物に無色蛍光インキを重ねて印刷する必要がない。このため、刷り合わせの問題を解消し、材料コスト、印刷工程数を削減することができる。また、印刷時の濃度管理や画線太り等の調整が容易であり、印刷での許容範囲が広くても真偽判別効果を有する。
地紋、彩紋模様にモアレ模様等の他種の偽造防止策を同一画線上に併用した印刷物とすることも可能であり、印刷後にエンボス（凸凹）を付与しても真偽判別効果が低下することがない。従って、本実施の形態は、偽造、変造防止の対象である銀行券、株券、債券等の有価証券や、各種証明書及び重要書類等に適用することができる。
【図面の簡単な説明】
添付図面において、
図１は、本発明の第１の実施の形態における基本構成を示す説明図及び一部拡大図。
図２は、同第１の実施の形態における、潜像を施さない部分と潜像を施した部分とを示す説明図。
図３は、同第１の実施の形態における、ＣＳＧを用いて潜像パターン部と潜像周囲部を二次元座標上に設定した説明図。
図４は、同第１の実施の形態による印刷物を示す説明図。
図５は、同第１の実施の形態による印刷物に紫外線を照射した状態を示す説明図。
図６Ａ、図６Ｂ、図６Ｃは、同第１の実施の形態に従って作製したサンプルの評価結果を示す説明図。
図７は、本発明の第２の実施の形態における、潜像を施さない一本の画線と潜像を施し複数に分岐した画線の全体図及び一部拡大図。
図８は、同第２の実施の形態における、無潜像画線と分岐潜像画線の拡大図。
図９は、同第２の実施の形態における、画線同士が交差する領域の一方を削除したことを示す説明図。
図１０は、同第２の実施の形態における、画線同士が交差する領域を示した説明図。
図１１は、同第２の実施の形態における、彩紋模様画線を構成する基本をなすスプライン曲線を示した説明図。
図１２は、同第２の実施の形態における、真偽判別模様の二次元データ上の画線を示した一部拡大図。
図１３は、同第２の実施の形態における、真偽判別模様を示した一部拡大図。
図１４は、同第２の実施の形態による印刷物を示す説明図及び一部拡大図。
図１５は、同第２の実施の形態による印刷物に紫外線を照射した状態を示す説明図。
図１６は、本発明の第３の実施の形態における、潜像を施さない部分の曲線状の線画と、潜像を施した部分の曲線上の線画とを示した説明図。
図１７は、同第３の実施の形態における、無潜像画線と分断潜像画線の拡大図。
図１８は、同第３の実施の形態における、画線同士が交差する領域の一方を削除したことを示す説明図。
図１９は、同第３の実施の形態における、画線同士が交差する領域の説明図。
図２０は、同第３の実施の形態における、真偽判別模様の二次元データ上の画線を示した説明図及び一部拡大図。
図２１は、同第３の実施の形態における、真偽判別模様の二次元データ上の画線幅を示した説明図。
図２２は、同第３の実施の形態による印刷物を示す説明図及び一部拡大図。
図２３は、同第３の実施の形態による印刷物に紫外線を照射した状態を示す説明図。
図２４は、同第３の実施の形態に従って作製したサンプルの評価結果を示す説明図。
図２５は、本発明の第４の実施の形態における、潜像を施さない部分の画線と定周期断絶線とを示した拡大図。
図２６は、同第４の実施の形態における、潜像を施さない部分の画線とずれ周期並置の定周期断絶線の拡大図。
図２７は、同第４の実施の形態における、潜像を施さない部分の画線と異周期並置の定周期断絶線の拡大図。
図２８は、同第４の実施の形態における、画線同士が交差する領域の一方を削除したことを示す説明図。
図２９は、同第４の実施の形態における、画線同士が交差する領域の説明図。
図３０は、同第４の実施の形態における、真偽判別模様の二次元データ上の画線を示した説明図及び一部拡大図。
図３１は、同第４の実施の形態における定周期断絶線で構成した真偽判別模様を有する印刷物を示す説明図及び一部拡大図。
図３２は、同第４の実施の形態における、定周期断絶線で構成した真偽判別模様を有する印刷物に紫外線を照射した状態を示す説明図。
図３３は、同第４の実施の形態における、定周期断絶線で構成した真偽判別模様を有する印刷物をカラー複写機で複製した物を示す説明図。
【図１】
0004085175.tif 000002
【図２】
0004085175.tif 000003
【図３】
0004085175.tif 000004
【図４】
0004085175.tif 000005
【図５】
0004085175.tif 000006
【図６Ａ】
0004085175.tif 000007
【図６Ｂ】
0004085175.tif 000008
【図６Ｃ】
0004085175.tif 000009
【図７】
0004085175.tif 000010
【図８】
0004085175.tif 000011
【図９】
0004085175.tif 000012
【図１０】
0004085175.tif 000013
【図１１】
0004085175.tif 000014
【図１２】
0004085175.tif 000015
【図１３】
0004085175.tif 000016
【図１４】
0004085175.tif 000017
【図１５】
0004085175.tif 000018
【図１６】
0004085175.tif 000019
【図１７】
0004085175.tif 000020
【図１８】
0004085175.tif 000021
【図１９】
0004085175.tif 000022
【図２０】
0004085175.tif 000023
【図２１】
0004085175.tif 000024
【図２２】
0004085175.tif 000025
【図２３】
0004085175.tif 000026
【図２４】
0004085175.tif 000027
【図２５】
0004085175.tif 000028
【図２６】
0004085175.tif 000029
【図２７】
0004085175.tif 000030
【図２８】
0004085175.tif 000031
【図２９】
0004085175.tif 000032
【図３０】
0004085175.tif 000033
【図３１】
0004085175.tif 000034
【図３２】
0004085175.tif 000035
【図３３】
0004085175.tif 000036